(57)【要約】【課題】歯科診療において高度な専門医療技術を要する分野において、一般の歯科医が、専門分野の診療を行う際、専門医がどこに居ても、専門医による診療支援を行うシステム及び装置を得ること。【解決手段】一般の歯科医の端末装置と、専門医の携帯可能な端末装置をインタネットを含むネットワークと、歯科診療支援センターのサーバコンピュータを介して接続し、第１の端末装置の撮像装置により撮像した歯科医による治療状況の映像と、歯科医の音声を、専門医の端末装置へ送信することにより専門医は、治療の状況と質問を把握し、音声と画像により、診療支援を行うことをできるようにした。【選択図】  図１
2005267115.tif 000002
【特許請求の範囲】
【請求項１】
複数の歯科医の第１の端末装置と、歯科診療支援センターのサーバコンピュータと、指導医の携帯可能な第２の端末装置がインタネットを含むネットワークを介して相互に接続され、接続されたそれぞれの端末を介して、歯科診療の支援を行う歯科診療支援システムにおいて、
前記歯科医の第１の端末装置は、
前記ネットワークを介して前記サーバコンピュータと接続する第１の接続手段と、
歯科医による歯科治療の画像を撮像する撮像手段と、
前記歯科医の音声を入力する第１の音声入力手段と、
前記ネットワークを介して前記撮像された歯科治療の画像を送信する第１の画像送信部と、前記入力された音声を送信する第１の音声送信部を有する第１の送信手段と、
前記ネットワークを介して音声を受信する第１の音声受信部と、画像を受信する第１の画像受信部を有する第１の受信手段と、
前記受信した音声を出力する第１の音声出力手段と、
前記撮像画像を表示する撮像画像表示部と、前記受信した画像を表示する第１の画像表示部を有する第１の表示手段とを有し、
前記指導医の第２の端末装置は、
前記ネットワークを介して前記サーバコンピュータと接続する第２の接続手段と、
前記ネットワークを介して前記サーバコンピュータから送信された１つ乃至複数の画像を受信する第２の画像受信部と、前記音声を受信する第２の音声受信部を有する第２の受信手段と、
前記受信した画像を１つ又は複数表示する第２の画像表示部を有する第２の表示手段と、
前記受信した音声を出力する第２の音声出力手段と、
前記複数表示された画像から優先し指示を与える画像を選択する画像選択手段と、
前記指導医の音声を前記選択された画像に対する音声として入力する第２の音声入力手段と、
前記選択した画像に対して指示を入力する指示情報入力手段と、
前記ネットワークを介して前記入力された指示情報を有する画像を送信する第２の画像送信部と、前記入力された音声を送信する第２の音声送信部を有する第２の送信手段とを有し、
前記サーバーコンピュータは、
前記複数の一般の歯科医の第１の端末装置とネットワークを介して接続するサーバ第１接続手段と、
前記指導医の第２の端末装置と前記ネットワークを介して接続するサーバ第２接続手段と、
前記第１の端末装置から送信された画像と音声とを受信するサーバ第１受信手段と、
前記ネットワークに接続した指導医の第２の端末装置に前記受信した１つ乃至複数の画像と、指導医の第２の端末装置により選択された１台分の音声とを送信するサーバ第２送信手段と、
前記指導医の第２の端末装置から送信される画像または音声からなる指示情報を受信するサーバ第２受信手段と、該当する歯科医の第１の端末装置に前記指示情報を送信するサーバ第１送信手段を有することを特徴とする歯科診療支援システム。
【請求項２】
前記画像は、視点ポイントを有し、
前記第１の端末装置は、前記画像を任意の時点で停止状態である静止画像と、中継状態である動画に相互に切り替える第１の切り替え手段と、音声による指令により表示画像の視点ポイントの移動を行う第１の画像移動手段と、表示画像の拡大縮小を行う第１の表示画像拡大縮小手段をさらに有し、  
前記第２の端末装置は、前記選択した画像に対して画像を任意の時点で停止状態である静止画像と、中継状態である動画に相互に切り替える第２の切り替え手段と、音声による指令により表示画像の視点ポイントの移動を行う第２の画像移動手段と、表示画像の拡大縮小を行う第２の表示画像拡大縮小手段をさらに有することを特徴とする請求項１に記載の歯科診療支援システム。
【請求項３】
前記サーバコンピュータは、専門の指導医による複数の模範治療映像、複数の技術文献、複数の治療マニュアルからなる歯科診療技術情報を記憶し蓄積する歯科診療技術情報記憶手段と、専門の指導医による最新の複数の模範治療映像、最新の複数の技術文献、最新の複数の治療マニュアルからなる最新の歯科診療技術情報を記憶する最新情報記憶手段と、所定の期間乃至は最新情報記憶手段に記憶された歯科診療技術情報が更新されたときは、更新前の歯科診療技術情報を歯科診療技術情報記憶手段に移動蓄積する更新蓄積手段とをさらに有し、
前記第１の端末装置は、前記歯科診療技術情報記憶手段に記憶された前記歯科診療技術情報と同様の歯科診療技術情報を記憶する歯科診療技術情報記憶部を有する第１の記憶手段と、前記歯科診療技術情報を表示する歯科診療技術情報表示部をさらに有する前記第１の表示手段と、
前記サーバコンピュータに接続し、前記最新情報記憶手段に記憶された最新の歯科診療技術情報を閲覧する歯科診療技術情報閲覧手段をさらに有することを特徴とする請求項１又は請求項２に記載の歯科診療支援システム。
【請求項４】
前記第２の端末装置は、
前記第１の端末装置への指導情報として前記歯科診療技術情報記憶手段に記憶された歯科診療技術情報又は前記最新情報記憶手段に記憶された最新の歯科診療技術情報の中から、指導医により選択された情報を指導情報として選択設定する指導情報選択設定手段と、  前記指導情報を表示する指導情報表示部をさらに有する前記第２の表示手段と、
表示された前記指導情報に指示情報を入力する指導情報入力手段をさらに有する前記指示情報入力手段と、
前記指導情報を送信する技術情報送信部をさらに有する前記第２の送信手段とをさらに有し、
前記歯科医の第１の端末装置は、
前記指導情報を受信する技術情報受信部をさらに有する前記第１の受信手段と、
前記指導情報を表示する技術情報表示部をさらに有する前記第１の表示手段とをさらに有し、
前記歯科診療支援センターのサーバーコンピュータは、
前記指導情報を受信する第２技術情報受信部をさらに有する前記サーバ第２受信手段と、
前記指導情報を送信する第１技術情報送信部をさらに有する前記サーバ第１送信手段とをさらに有することを特徴とする請求項３に記載の歯科診療支援システム。
【請求項５】
前記サーバコンピュータは、所定の期間毎乃至は前記歯科診療技術情報記憶手段が更新される毎に前記第１の端末装置の歯科診療技術情報記憶部を更新された前記歯科診療技術情報で更新する更新情報を送信する端末装置更新手段をさらに有し、
前記第１の端末装置は、前記更新情報を受信する更新情報受信部をさらに有する前記第１の受信手段と、前記更新情報に従い更新された前記歯科診療技術情報により前記歯科診療記憶手段を更新する第１の端末装置更新手段をさらに有することを特徴とする請求項３又は、請求項４に記載の歯科診療支援システム。
【請求項６】
請求項１の歯科医の第１の端末装置にインストールして用いるプログラムは、
前記ネットワークを介してサーバコンピュータと接続する第１の接続手順と、
歯科医による歯科治療の画像を撮像する撮像手順と、
前記歯科医の音声を入力する第１の音声入力手順と、
前記ネットワークを介して前記撮像された歯科治療の画像を送信する第１の画像送信手順と、前記入力された音声を送信する第１の音声送信手順を有する第１の送信手順と、
前記ネットワークを介して前記音声を受信する第１の音声受信手順と、前記画像を受信する第１の画像受信手順を有する第１の受信手順と、
前記受信した音声を出力する第１の音声出力手順と、
前記撮像画像を表示する撮像画像表示手順と、前記受信した画像を表示する第１の画像表示手順を有する第１の表示手順とを請求項１に記載の第１の端末装置に実行させるためのプログラム。
【請求項７】
請求項１の前記指導医の第２の端末装置にインストールして用いるプログラムは、
前記ネットワークを介して前記サーバコンピュータと接続する第２の接続手順と、
前記ネットワークを介して前記サーバコンピュータから送信された１つ乃至複数の画像を受信する第２の画像受信手順と、前記音声を受信する第２の音声受信手順を有する第２の受信手順と、
前記受信した画像を１つ又は複数表示する第２の画像表示手順を有する第２の表示手順と、
前記受信した音声を出力する第２の音声出力手順と、
前記複数表示された画像から優先し指示を与える画像を選択する画像選択手順と、
前記指導医の音声を前記選択された画像に対する音声として入力する第２の音声入力手順と、
前記選択した画像に対して指示を入力する指示情報入力手順と、
前記ネットワークを介して前記入力された指示情報を有する画像を送信する第２の画像送信手順と、
前記入力された音声を送信する第２の音声送信手順を有する第２の送信手順とを請求項１に記載の第２の端末装置に実行させるためのプログラム。
【請求項８】
請求項１の前記歯科診療支援センターのサーバーコンピュータにインストールして用いるプログラムは、
前記複数の一般の歯科医の第１の端末装置とネットワークを介して接続するサーバ第１接続手順と、
前記指導医の第２の端末装置と前記ネットワークを介して接続するサーバ第２接続手順と、
前記第１の端末装置から送信された画像と音声とを受信するサーバ第１受信手順と、
前記ネットワークに接続した指導医の第２の端末装置に前記受信した１つ乃至複数の画像と、指導医の第２の端末装置により選択された１台分の音声とを送信するサーバ第２送信手順と、
前記指導医の第２の端末装置から送信される画像または音声からなる指示情報を受信するサーバ第２受信手順と、該当する歯科医の第１の端末装置に前記指示情報を送信するサーバ第１送信手順とを請求項１に記載のサーバコンピュータに実行させるためのプログラム。
【請求項９】
請求項６に記載のプログラムにおいて、
前記画像を任意の時点で停止状態である静止画像と、中継状態である動画に相互に切り替える第１の切り替え手順と、前記画像に対し視点ポイントを定義する手順と、音声による指令により表示画像の視点ポイントの移動を行う第１の画像移動手順と、表示画像の拡大縮小を行う第１の表示画像拡大縮小手順をさらに請求項２に記載の第１の端末装置に実行させるためのプログラム。
【請求項１０】
請求項７に記載のプログラムにおいて、
前記選択した画像に対して画像を任意の時点で停止状態である静止画像と、中継状態である動画に相互に切り替える第２の切り替え手順と、前記画像に対し視点ポイントを定義する手順と、音声による指令により表示画像の視点ポイントの移動を行う第２の画像移動手順と、表示画像の拡大縮小を行う第２の表示画像拡大縮小手順をさらに請求項２に記載の第２の端末装置に実行させるためのプログラム。
【請求項１１】
請求項８に記載のプログラムにおいて、
専門の指導医による複数の模範治療映像、複数の技術文献、複数の治療マニュアルからなる歯科診療技術情報を歯科診療技術情報記憶手段に記憶し蓄積する歯科診療技術情報記憶手順と、専門の指導医による最新の複数の模範治療映像、最新の複数の技術文献、最新の複数の治療マニュアルからなる最新の歯科診療技術情報を最新情報記憶手段に記憶する最新情報記憶手順と、所定の期間乃至は第２の記憶装置に記憶された歯科診療技術情が更新されたときは、更新前の歯科診療技術情報を情報更新手順に従い歯科診療技術情報記憶手段に移動蓄積する更新蓄積手順とをさらに請求項３に記載のサーバコンピュータに実行させるためのプログラム。
【請求項１２】
請求項６又は請求項９に記載のプログラムにおいて、
前記歯科診療技術情報記憶手段に記憶された前記歯科診療技術情報と同様の歯科診療技術情報を歯科診療技術情報記憶手段に記憶する歯科診療技術情報記憶手順を有する第１の記憶手順と、前記歯科診療技術情報を表示する歯科診療技術情報表示手順をさらに有する前記第１の表示手順と、
前記サーバコンピュータに接続し、前記最新情報記憶手段に記憶された最新の歯科診療技術情報を閲覧する歯科診療技術情報閲覧手順を請求項３に記載の第１の端末装置にさらに実行させるためのプログラム。
【請求項１３】
請求項７または請求項１０に記載のプログラムにおいて、
前記第１の端末装置への指導情報として前記歯科診療技術情報記憶手段に記憶された歯科診療技術情報又は前記最新情報記憶手段に記憶された最新の歯科診療技術情報の中から、指導医により選択された情報を指導情報として選択設定する指導情報選択設定手順と、
前記指導情報を表示する指導情報表示手順をさらに有する前記第２の表示手順と、
表示された前記指導情報に指示情報を入力する入力手順をさらに有する前記指示情報入力手順と、
前記指導情報を送信する技術情報送信手順をさらに有する前記第２の送信手順とを
請求項４に記載の第２の端末装置にさらに実行させるためのプログラム。
【請求項１４】
請求項１２に記載のプログラムにおいて、
前記指導情報を受信する技術情報受信手順をさらに有する前記第１の受信手順と、
前記指導情報を表示する技術情報表示手順をさらに有する前記第１の表示手順とを
請求項４に記載の第１の端末装置にさらに実行させるためのプログラム。
【請求項１５】
請求項１１に記載のプログラムにおいて、
前記指導情報を受信す第２のる技術情報受信手順をさらに有する前記サーバ第２受信手順と、前記指導情報を送信する第１の技術情報送信手順をさらに有する前記サーバ第１送信手順とを請求項４に記載の歯科診療支援センターのサーバーコンピュータにさらに実行させるためのプログラム。
【請求項１６】
請求項１１又は請求項１５に記載のプログラムにおいて、
所定の期間毎乃至は前記歯科診療技術情報記憶手段が更新される毎に前記第１の端末装置の歯科診療技術情報記憶部を更新された前記歯科診療技術情報で更新する更新情報を送信する端末装置更新手順を請求項５に記載の歯科診療支援センターのサーバーコンピュータにさらに実行させるためのプログラム。
【請求項１７】
請求項１２又は請求項１４に記載のプログラムにおいて、
前記更新情報を受信する更新情報受信手順をさらに有する前記第１の受信手順と、前記更新情報に従い更新された前記歯科診療技術情報により前記歯科診療技術情報記憶部を更新する第１の端末装置更新手順を請求項５に記載の第１の端末装置にさらに実行させるためのプログラム。
【発明の詳細な説明】
【技術分野】
【０００１】
本発明は、歯科医の治療現場において、高度な医療技術を要する治療行為に対して、一般の歯科医の端末装置と、高度な専門技術を有するを専門医の携帯可能な端末装置とをインタネットを含むネットワークを介して接続し、それぞれの端末装置を用いて一般の歯科医の診療支援を行うシステム、装置及びそのためのプログラムに関する。
【背景技術】
【０００２】
歯科治療の医療現場において、多くの患者から、インプラント、成人歯列矯正などの高度な専門技術を要する治療が求められている。このような高度な専門技術を要する治療を行うには、高度な専門技術を有する医師が必要である。しかしなから、このような高度な専門技術を有する専門医は少数であるのが現実である。従って、一般の歯科医においても、このような高度な専門技術の取得が不可欠である。このような専門技術の取得には、専門技術を有する歯科医による指導が不可欠である。しかし、一般の歯科医が診療を行いながら高度な専門技術を有する歯科医の指導を受けるには、一般の歯科医の診療現場に指導医が出向く、又は、指導医の診療現場に一般の歯科医が出向く必要があり、なかなか困難である。さらに、一般医が指導を受けるために、専門医が実際診療、治療を行っている現場を訪れたとしても、そのとき専門医が行っている治療を学習することしかできない。つまり、違う種類の治療方法は、又、別の機会に指導を受けなければばならない。又、治療を実際に見学しても、それは一過性である為、きちんと理解するためには、繰り返し学習する必要がある。さらに、自身が治療を行う際に、専門医の指導を受けることが不可欠である。しかし、一般の診療を行っている医師が、技術の習得ができる様になるまで、自己の診察に際して、専門医の指導を繰り返し受けることは、極めて困難である。
【０００３】
さらに、専門医が、指導のために、一般医のもとに出向く場合は、出向く先の医師の指導しかできない為、技術の習得希望の医師が増えれば増えるほど、専門医による指導は困難になる。
【０００４】
一方、治療を受ける患者の側においても、高度な専門技術を要する治療を受けるためには、専門医の居る病院、診療所等に赴く必要がある。このような高度な専門技術を有する専門医は、数も少なくその診療機会を得ることは困難である。又、歯科治療は、１回の診察治療で終了することは少なく、複数回の診察治療が必要である。従って、患者の側からしても、遠くの専門医の所に複数回訪れる事は非常に困難である。そのため、近くの医師の元で、高度な専門医療が受けられることが望まれる。
【特許文献１】特開２００２−２４５１８３号公報
【特許文献２】特開平９−１１７４１７号公報
【発明の開示】
【発明が解決しようとする課題】
【０００５】
解決しようとする問題点は、一般の歯科医の立場からは、自身の医院において、診察、治療業務を行いながら、高度な専門技術の取得をすることである。そのためには、文献、映像等を用いて、自ら繰り返し学習することは勿論であるが、確実な技術の取得のためには、高度な専門技術を有する指導医の指導を繰り返し受けることが必要である。従って、本発明では、高度な専門技術を有する専門医の指導を容易に受けることができる装置、プログラム、システムを得ることである。一方、指導医の立場からは、一般医のもとに出向くことなく、繰り返し指導を行うことをできるようにすること。かつ、一度に複数の一般医の指導を個々の診察、治療実態に即して指導を行うことをできるようにすること。さらに、自身がどこに居ても、指導の希望に応じて、一般医の指導を行うことができるようにする装置、プログラム、システムを得ることである。
【課題を解決するための手段】
【０００６】
請求項１の発明の歯科診療支援システムは、複数の歯科医の第１の端末装置と、歯科診療支援センターのサーバコンピュータと、指導医の携帯可能な第２の端末装置がインタネットを含むネットワークを介して相互に接続され、接続されたそれぞれの端末を介して、相互に、音声、画像の交信交換を行い歯科診療の支援を行う。そのために、歯科医の第１の端末装置は、第１の接続手段により、ネットワークを介してサーバコンピュータと接続され、歯科医による歯科治療の画像を撮像手段により撮像し、第１の音声入力手段により歯科医の音声を入力し、さらに、撮像された歯科治療の画像を第１の画像送信部により、入力された音声を第１の音声送信部によりネットワークを介して第１の送信手段により指導医の第２の端末装置に状況を伝えるために送信する。一方、ネットワークから、指導医の音声、画像による指導を受信するために、第１の音声受信部により音声を受信し、第１の画像受信部により画像を受信する第１の受信手段と、受信した音声を出力する第１の音声出力手段と、撮像画像表示部により撮像画像を、受信した画像を第１の画像表示部により表示する第１の表示手段とを有するようにした。
【０００７】
一方、指導医の第２の端末装置は、ネットワークを介してサーバコンピュータと第２の接続手段により接続し、第２の受信手段の第２の画像受信部によりネットワークを介してサーバコンピュータから送信された１つ乃至複数の画像を受信し、第２の受信手段の第２の音声受信部により音声を受信する。さらに、第２の表示手段の第２の画像表示部により、１つ又は複数の受信した画像を表示する。同時に、第２の音声出力手段により、受信した音声を出力。又、画像選択手段により、複数表示された画像から優先し指示を与える画像を選択し、第２の音声入力手段により入力される指導医の音声を、選択された画像に対する音声として入力する。さらに、指示情報入力手段により入力される指示情報を選択した画像に対してに指示入力とする。指示情報の入力された画像は第２の送信手段の第２の画像送信部により、音声は、第２の音声送信部によりネットワークを介して選択された画像の第１の端末装置へ送信される。
【０００８】
さらに、歯科診療支援センターのサーバーコンピュータは、サーバ第１接続手段により複数の一般の歯科医の第１の端末装置とネットワークを介して接続し、サーバ第２接続手段により指導医の第２の端末装置とネットワークを介して接続する。さらに、サーバ第１受信手段により、第１の端末装置から送信された画像と音声とを受信し、サーバ第２送信手段により、ネットワークに接続した指導医の第２の端末装置に受信した１つ乃至複数の画像と、指導医の第２の端末装置により選択された１台分の音声とを送信する。一方、サーバ第２受信手段により、指導医の第２の端末装置から送信される画像または音声からなる指示情報を受信し、サーバ第１送信手段により該当する歯科医の第１の端末装置に指示情報を送信する。このように、請求項１の発明は、上述した第１の端末装置、第２の端末装置、歯科診療支援センターのサーバコンピュータにより、歯科診療支援システムを構成することを特徴とする。
【０００９】
請求項２の発明による歯科診療支援システムは、画像は、視点ポイントを有し、第１の端末装置の撮像画像表示手段により表示された画像は、第１の切り替え手段により、任意の時点で停止状態である静止画像と、中継状態である動画に相互に切り替えられ、第１の画像移動手段により、音声による指令により表示画像の視点ポイントの移動が行われ、さらに、第１の表示画像拡大縮小手段により、表示画像の拡大縮小が行われる。第２の端末装置の第２の画像表示手段により表示された画像のうち選択された画像は、第２の切り替え手段により、画像を任意の時点で停止状態である静止画像と、中継状態である動画に相互に切り替えられ、第２の画像移動手段により、音声による指令により表示画像の視点ポイントの移動が行われる。さらに、第２の表示画像拡大縮小手段により、選択された表示画像の拡大縮小が請求項１のシステムに対してさらに行われることを特徴とする。
【００１０】
ここで、視点ポイントについて説明する。視点ポイントは、初期画像に対して内部的に表示位置を決定する起点位置である。以後、この位置を起点に、画像の表示位置を決定する。その起点位置を、例えば画像上の中心に表示することにより、画像を見ている指導医、指導を受ける医師が、自己の希望の画像位置を得るマーカーとするものである。例えば、視点ポイントとして、初期位置は表示した画像の中心位置を与え、以後は、積算による相対位置、初期値に対する絶対値等の位置を内部的に把握し、画像上にも表示する。又、表示画像の切り替えに伴い、リセットする。
【００１１】
請求項３の発明による歯科診療支援システムは、サーバコンピュータの歯科診療技術情報記憶手段に、専門の指導医による複数の模範治療映像、複数の技術文献、複数の治療マニュアルからなる歯科診療技術情報を記憶し蓄積する。さらに、最新情報記憶手段に専門の指導医による最新の複数の模範治療映像、最新の複数の技術文献、最新の複数の治療マニュアルからなる最新の歯科診療技術情報を記憶する。さらに、更新蓄積手段は、所定の期間乃至は最新情報記憶手段に記憶された歯科診療技術情報が更新されたときは、更新前の歯科診療技術情報を歯科診療技術情報記憶手段に移動蓄積する。さらに、第１の端末装置は、第１の記憶手段の歯科診療技術情報記憶部に歯科診療技術情報記憶手段に記憶された歯科診療技術情報と同様の歯科診療技術情報を記憶する。さらに、第１の表示手段の歯科診療技術情報表示部により、歯科診療技術情報を表示する。さらに、サーバコンピュータに接続し、歯科診療技術情報閲覧手段により最新情報記憶手段に記憶された最新の歯科診療技術情報を閲覧することを特徴とする。
【００１２】
請求項４の発明による歯科診療支援システムは、第２の端末装置の指導情報選択設定手段により、第１の端末装置への指導情報として歯科診療技術情報記憶手段に記憶された歯科診療技術情報又は最新情報記憶手段に記憶された最新の歯科診療技術情報の中から、指導に必要な情報を指導情報として選択設定し、第２の表示手段の指導情報表示部により、選択した指導情報を表示する。さらに、指示情報入力手段の指導情報入力手段により、表示された指導情報に入力された情報を指示情報として入力する。さらに、第２の送信手段の技術情報送信部により、指導情報をネットワークを介して第１の端末装置へ送信する。一方、歯科医の第１の端末装置は、第１の受信手段の技術情報受信部により送信された指導情報を受信し、受信した指導情報を第１の表示手段の技術情報表示部により表示する。さらに、歯科診療支援センターのサーバーコンピュータは、サーバ第２受信手段の第２技術情報受信部により、指導情報を受信し、サーバ第１送信手段の第１技術情報送信部により指導情報を送信することを特徴とする。
【００１３】
請求項５の発明による歯科診療支援システムは、サーバコンピュータの端末装置更新手段により、所定の期間毎乃至は歯科診療技術情報記憶手段が更新される毎に第１の端末装置の歯科診療技術情報記憶部を更新された歯科診療技術情報で更新する更新情報を送信し、第１の端末装置の第１の端末装置更新手段は、第１の受信手段の更新情報受信部により受信した更新情報に従い更新された歯科診療技術情報により歯科診療記憶手段を更新することを特徴とする。
【００１４】
請求項６の発明による歯科診療支援システムの歯科医の第１の端末装置にインストールして用いるプログラムは、ネットワークを介してサーバコンピュータと接続する第１の接続手順と、第１の端末装置の歯科医による歯科治療の画像を撮像する撮像手順と、第１の端末装置の歯科医の音声を入力する第１の音声入力手順と、ネットワークを介して撮像された歯科治療の画像を送信する第１の画像送信手順と、入力された音声を送信する第１の音声送信手順を有する第１の送信手順と、ネットワークを介して音声を受信する第１の音声受信手順と、画像を受信する第１の画像受信手順を有する第１の受信手順と、受信した音声を出力する第１の音声出力手順と、撮像画像を表示する撮像画像表示手順と、受信した画像を表示する第１の画像表示手順を有する第１の表示手順とを請求項１に記載の第１の端末装置に実行させる。
【００１５】
請求項７の発明による歯科診療支援システムの指導医の第２の端末装置にインストールして用いるプログラムは、ネットワークを介してサーバコンピュータと接続する第２の接続手順と、ネットワークを介してサーバコンピュータから送信された１つ乃至複数の画像を受信する第２の画像受信手順と、音声を受信する第２の音声受信手順を有する第２の受信手順と、受信した画像を１つ又は複数表示する第２の画像表示手順を有する第２の表示手順と、受信した音声を出力する第２の音声出力手順と、複数表示された画像から優先し指示を与える画像を選択する画像選択手順と、指導医の音声を選択された画像に対する音声として入力する第２の音声入力手順と、選択した画像に対して指示を入力する指示情報入力手順と、ネットワークを介して入力された指示情報を有する画像を選択した画像の第１の端末装置へ送信する第２の画像送信手順と、入力された音声を送信する第２の音声送信手順を有する第２の送信手順とを請求項１に記載の第２の端末装置に実行させる。
【００１６】
請求項８の発明による歯科診療支援システムの歯科診療支援センターのサーバーコンピュータにインストールして用いるプログラムは、複数の一般の歯科医の第１の端末装置とネットワークを介して接続するサーバ第１接続手順と、指導医の第２の端末装置とネットワークを介して接続するサーバ第２接続手順と、第１の端末装置から送信された画像と音声とを受信するサーバ第１受信手順と、ネットワークに接続した指導医の第２の端末装置に受信した１つ乃至複数の画像と、指導医の第２の端末装置により選択された１台分の音声とを送信するサーバ第２送信手順と、指導医の第２の端末装置から送信される画像または音声からなる指示情報を受信するサーバ第２受信手順と、該当する歯科医の第１の端末装置に指示情報を送信するサーバ第１送信手順とを請求項１に記載のサーバコンピュータに実行させる。
【００１７】
請求項９の発明による歯科診療支援システムの第１の端末装置にインストールして用いるプログラムは、請求項６に記載のプログラムにおいて、画像を任意の時点で停止状態である静止画像と、中継状態である動画に相互に切り替える第１の切り替え手順と、画像に対し視点ポイントを定義する手順と、音声による指令により表示画像の視点ポイントの移動を行う第１の画像移動手順と、表示画像の拡大縮小を行う第１の表示画像拡大縮小手順をさらに請求項２に記載の第１の端末装置に実行させる。
【００１８】
請求項１０の発明による歯科診療支援システムの第２の端末装置にインストールして用いるプログラムは、請求項７に記載のプログラムにおいて、選択した画像に対して画像を任意の時点で停止状態である静止画像と、中継状態である動画に相互に切り替える第２の切り替え手順と、画像に対し視点ポイントを定義する手順と、音声による指令により表示画像の視点ポイントの移動を行う第２の画像移動手順と、表示画像の拡大縮小を行う第２の表示画像拡大縮小手順をさらに請求項２に記載の第２の端末装置に実行させる。
【００１９】
請求項１１の発明による歯科診療支援システムのサーバコンピュータにインストールして用いるプログラムは、請求項８に記載のプログラムにおいて、専門の指導医による複数の模範治療映像、複数の技術文献、複数の治療マニュアルからなる歯科診療技術情報を歯科診療技術情報記憶手段に記憶し蓄積する歯科診療技術情報記憶手順と、専門の指導医による最新の複数の模範治療映像、最新の複数の技術文献、最新の複数の治療マニュアルからなる最新の歯科診療技術情報を最新情報記憶手段に記憶する最新情報記憶手順と、所定の期間乃至は第２の記憶装置に記憶された歯科診療技術情が更新されたときは、更新前の歯科診療技術情報を情報更新手順に従い歯科診療技術情報記憶手段に移動蓄積する更新蓄積手順とをさらに請求項３に記載のサーバコンピュータに実行させる。
【００２０】
請求項１２の発明による歯科診療支援システムの第１の端末装置にインストールして用いるプログラムは、請求項６又は請求項９に記載のプログラムにおいて、歯科診療技術情報記憶手段に記憶された歯科診療技術情報と同様の歯科診療技術情報を歯科診療技術情報記憶手段に記憶する歯科診療技術情報記憶手順を有する第１の記憶手順と、歯科診療技術情報を表示する歯科診療技術情報表示手順をさらに有する第１の表示手順と、サーバコンピュータに接続し、最新情報記憶手段に記憶された最新の歯科診療技術情報を閲覧する歯科診療技術情報閲覧手順を請求項３に記載の第１の端末装置にさらに実行させる。
【００２１】
請求項１３の発明による歯科診療支援システムの第２の端末装置にインストールして用いるプログラムは、請求項７または請求項１０に記載のプログラムにおいて、第１の端末装置への指導情報として歯科診療技術情報記憶手段に記憶された歯科診療技術情報又は最新情報記憶手段に記憶された最新の歯科診療技術情報の中から、指導医により選択された情報を指導情報として選択設定する指導情報選択設定手順と、指導情報を表示する指導情報表示手順をさらに有する第２の表示手順と、表示された指導情報に指示情報を入力する入力手順をさらに有する指示情報入力手順と、指導情報を送信する技術情報送信手順をさらに有する第２の送信手順とを請求項４に記載の第２の端末装置にさらに実行させる。
【００２２】
請求項１４の発明による歯科診療支援システムの第１の端末装置にインストールして用いるプログラムは、請求項１２に記載のプログラムにおいて、指導情報を受信する技術情報受信手順をさらに有する第１の受信手順と、指導情報を表示する技術情報表示手順をさらに有する第１の表示手順とを請求項４に記載の第１の端末装置にさらに実行させる。
【００２３】
請求項１５の発明による歯科診療支援システムのサーバコンピュータにインストールして用いるプログラムは、請求項１１に記載のプログラムにおいて、指導情報を受信す第２の技術情報受信手順をさらに有するサーバ第２受信手順と、指導情報を送信する第１の技術情報送信手順をさらに有するサーバ第１送信手順とを請求項４に記載の歯科診療支援センターのサーバーコンピュータにさらに実行させる。
【００２４】
請求項１６の発明による歯科診療支援システムのサーバコンピュータにインストールして用いるプログラムは、請求項１１又は請求項１５に記載のプログラムにおいて、所定の期間毎乃至は歯科診療技術情報記憶手段が更新される毎に第１の端末装置の歯科診療技術情報記憶部を更新された歯科診療技術情報で更新する更新情報を送信する端末装置更新手順を請求項５に記載の歯科診療支援センターのサーバーコンピュータにさらに実行させる。
【００２５】
請求項１７の発明による歯科診療支援システムの第１の端末装置にインストールして用いるプログラムは、請求項１２又は請求項１４に記載のプログラムにおいて、更新情報を受信する更新情報受信手順をさらに有する第１の受信手順と、更新情報に従い更新された歯科診療技術情報により歯科診療技術情報記憶部を更新する第１の端末装置更新手順を請求項５に記載の第１の端末装置にさらに実行させる。
【００２６】
なお、上述したある１つの発明が、上記した全ての目的を同時に達成するものと解されるべきではなく、個々の発明が、それぞれの目的を達成するものと解されるべきである。  
【発明の効果】
【００２７】
以下の発明の効果の項においては、歯科診療支援システムを項制するそれぞれの装置に、対応するプログラムをインストールして用いることにより、それぞれの発明の効果を有するようになり、重複する記述も避けることができる。従って、歯科診療支援システムを構成する装置に対応するプログラムをインストールして発明の効果を説明する。
【００２８】
請求項１の発明による歯科診療支援システムを構成するのは、請求項６の発明によるプログラムがインストールされた複数の歯科医の第１の端末装置と、請求項８の発明によるプログラムがインストールされた歯科診療支援センターのサーバコンピュータと、請求項７の発明によるプログラムがインストールされた指導医の携帯可能な第２の端末装置である。
【００２９】
先ず、歯科医の第１の端末装置は、第１の接続手段において、第１の接続手順によりネットワークを介してサーバコンピュータと接続されるようになる。一方、指導医の第２の端末装置は、第２の接続手段と、第２の接続手順により、ネットワークを介して歯科診療支援センターのサーバコンピュータと接続されるようになる。
【００３０】
次に、第１の端末装置においては、歯科医による歯科治療の画像を撮像手段において撮像手順により撮像し、表示手段の撮像画像表示部において、撮像画像表示手順により、撮像画像を表示できるようになる。さらに、歯科医の音声が第１の音声入力手段と第１の音声入力手順により入力されるようになり、撮像された画像は、ネットワークを介して第１の画像送信部と第１の画像送信手順により、入力された音声は、第１の音声送信部と第１の音声送信手順によりサーバコンピュータに送信される。一方、第２の端末装置は、第２の受信手段の第２の画像受信部において、第２の受信手順の第２の画像受信順により、ネットワークを介してサーバコンピュータから送信された１つ乃至複数の画像を受信する。同時に、第２の音声受信部において、第２の音声受信手順により、音声を受信する。次に、第２の表示手段の第２の画像表示部において、第２の表示部手順と第２の画像表示手順に従い、受信した画像を１つ又は複数表示する。さらに、第２の音声出力手段において、第２の音声出力手順により受信した音声が出力される。これにより、指導、助言を求める歯科医からの画像と音声が、指導医の第２の端末装置に出力されるようになる。さらに、複数表示された画像に対して、画像選択手段と、画像選択手順により、指導医が交信をすると判断した画像を選択する。これにより、複数表示されている画像の中から、指導医が音声による交信をする相手の一般医の第１の端末装置を選択することができるようになる。つまり、選択した画像の第１の端末装置の音声を自己の第２の端末装置の第２の音声出力手段を介して出力することができるようになる。指導医の音声も、第２の音声入力手段により選択した画像の第１の端末装置に対しての音声入力となり、第２の音声送信部と第２の音声送信手順により選択された画像の第１の端末装置の送信される。第１の端末装置では、第１の受信手段の音声受信部と第１の受信手順の音声受信手順により受信された音声が出力されるようになる。つまり、選択した画像の第１の端末装置と、音声での交信ができるようになると同時に、指示情報入力手段と、指示情報入力手順により入力する指示情報を選択した画像に対して入力することができるようになる。さらに、指示情報を入力した画像は、第２の画像送信部と第２の画像送信手順により送信され、第１の端末装置では、第１の画像受信部と第１の画像受信手順により画像が受信され、第１の画像表示部に第１の画像表示手順により表示されるようになる。これにより、第１の端末装置においては、第２の端末装置から送信された指導情報が受信され、画像として表示され、音声が出力されるようになる。ここでの、画像の選択は、例えば、マウスで、該当する画像をクリックすることである。従って、最後にクリックされた画像が、選択されている状態の画像となり、音声は、選択されている画像の第１の端末装置への音声の出力であり、入力である。
【００３１】
歯科診療支援センターのサーバーコンピュータは、複数の一般の歯科医の第１の端末装置とネットワークを介して接続するサーバ第１接続手段と、指導医の第２の端末装置とネットワークを介して接続するサーバ第２接続手段と、第１の端末装置から送信された画像と音声とを受信するサーバ第１受信手段と、ネットワークに接続した指導医の第２の端末装置に受信した１つ乃至複数の画像と、指導医の第２の端末装置により選択された１台分の音声とを送信するサーバ第２送信手段と、指導医の第２の端末装置から送信される画像または音声からなる指示情報を受信するサーバ第２受信手段と、該当する歯科医の第１の端末装置に指示情報を送信するサーバ第１送信手段を有するように構成したので、上述した第１の端末装置と、第２の端末装置をネットワークを介して接続し、相互に情報の交信を行うことができるように接続することができるようになる。これにより、第１の端末装置と、第２の端末装置がそれぞれネットワークに接続できる環境に有れば、どこに指導を受けたい歯科医が居ても、又、指導をする指導医がどこに居ても、指導を受けることが可能となり、指導をすることが可能となる。例えば、ネットワークへの接続を、携帯電話の回線の利用によることにすると、携帯電話の接続エリア内であれば、どこに居ても、第２の端末装置は、ネットワークに接続することが可能となる。他にも、公共のLAN システムを利用できる地域内であれば、それを利用しても良い。又、第２の端末装置においては、同時に複数の第１の端末装置と接続し、それぞれの診察治療の状況を撮像した画像を受信できるようにしたので、常に、複数の指導を受けたい歯科医の状況を画像を介して把握することが可能となる。
【００３２】
さらに、請求項２の発明の歯科診療支援システムにおいては、第１の端末装置に請求項９のプログラムを、第２の端末装置には請求項１０のプログラムをインストールして用いることにより、画像は、視点ポイントを有することができるようになる。さらに、第１の端末装置は、第１の切り替え手段において、第１の切り替え手順を有するようにしたので、画像を任意の時点で停止状態である静止画像と、中継状態である動画に相互に切り替えることができるようになる。これにより、治療を行っている歯科医が、助言指導を得たいと希望する場面で画像を一旦停止させ、第２の端末装置の指導医に対して、質問、助言を求めることができるようになる。さらに、第１の画像移動手段において第１の画像移動手順により音声による指令により表示画像の視点ポイントの移動を行い、第１の表示画像拡大縮小手段において、第１の表示画像拡大縮小手順により表示画像の拡大縮小を行うことができるようになるので、指導を求める医師は、音声により、例えば、「右、上」、「拡大」などの指示語により、画像の表示部分をコントロールすることができるようになり、指導医に対して、どの部分かをより明確に伝えることができるようになる。さらに、音声による指示が可能となるので、治療中の手を止めて、第１の端末装置の操作をしなくても自己の希望する画像を指導医に送信することができるようになる。
【００３３】
一方、第２の端末装置においては、第２の切り替え手段における第２の切り替え手順により、選択した画像に対して画像を任意の時点で停止状態である静止画像と、中継状態である動画に相互に切り替えることができるようになる。さらに、第２の画像移動手段と第２の画像移動手順により音声による指令により表示画像の視点ポイントの移動を、第２の表示画像拡大縮小手段により表示画像の拡大縮小を行うことができるようになる。これにより、指導医の第２の端末装置からも、第１の端末装置から送信された撮像画像について、任意の時点で、中継状態である動画と、停止状態である静止画を切り替えることができるようになる。これにより、指導情報を入力する際に、停止した状態で、指導を行うことができるようになるので、より正確に指導内容が伝えることができるようになる。又、画像の表示位置、拡大、縮小を音声により指示できるようになるので、表示画像のコントロールを円滑に行うことができるようになる。
【００３４】
さらに、請求項３の発明による歯科診療支援システムにおいては、サーバコンピュータには請求項１１のプログラムを、第１の端末装置には請求項１２のプログラムをインストールして用いることにより、歯科診療技術情報記憶手段には、歯科診療技術情報記憶手順により専門の指導医による複数の模範治療映像、複数の技術文献、複数の治療マニュアルからなる歯科診療技術情報を記憶し蓄積できるようになり、最新情報記憶手段には、最新情報記憶手順により、専門の指導医による最新の複数の模範治療映像、最新の複数の技術文献、最新の複数の治療マニュアルからなる最新の歯科診療技術情報を記憶できるようになる。さらに、更新蓄積手段における、更新蓄積手順により所定の期間乃至は最新情報記憶手段に記憶された歯科診療技術情報が更新されたときは、更新前の歯科診療技術情報を歯科診療技術情報記憶手段に移動蓄積することができるようになる。さらに、第１の端末装置において、第１の記憶手段の歯科診療技術情報記憶部に歯科診療技術情報記憶手段に記憶された歯科診療技術情報と同様の歯科診療技術情報を歯科診療記憶手順により記憶することができるようになり、第１の表示手段の歯科診療技術情報表示部に歯科診療技術情報表示手順により歯科診療技術情報を表示することができるようになる。これにより、専門医による模範治療映像、技術文献、治療マニュアル等を自己の第１の端末装置において見ることができるようになり、自己の診療所において、繰り返し、模範治療映像を見ることが可能となり、さらに、技術文献、治療マニュアル等も繰り返し、見ることができるようになる。一方、歯科診療技術情報閲覧手段により、歯科診療技術情報閲覧手順に従いサーバコンピュータに接続し、最新情報記憶手段に記憶された最新の歯科診療技術情報を閲覧することができるようになり、専門の指導医による最新の模範治療映像、最新の技術文献、最新の治療マニュアル等の最新の情報を簡単に繰り返し閲覧することができるようになる。
【００３５】
さらに、請求項４の発明による歯科診療支援システムにおいては、第２の端末装置に請求項１３のプログラムを、第１の端末装置には、請求項１４のプログラムを、サーバコンピュータには、請求項１５のプログラムをインストールして用いることにより、第２の端末装置においては、指導情報選択設定手段において、指導情報選択設定手順により、第１の端末装置への指導情報として歯科診療技術情報記憶手段に記憶された歯科診療技術情報又は最新情報記憶手段に記憶された最新の歯科診療技術情報の中から、指導医により選択された情報を指導情報として選択設定することができるようになり、第２の表示手段の指導情報表示部及び、第２の表示手順の指導情報表示手順により選択した歯科診療技術情報を指導情報として表示することができるようになる。さらに、指示情報入力手段の指導情報入力手段及び、指示情報入力手順の指導情報入力手順により表示された指導情報に指示情報を入力することができるようになる。指示情報が入力された指導情報は、第２の送信手段の技術情報送信部において、第２の送信手順の技術情報送信手順により送信されるようになる。一方、歯科医の第１の端末装置において、第１の受信手段の技術情報受信部において、第１の受信手順の技術情報受手順により、指導情報を受信することができるようになる。さらに、第１の表示手段の技術情報表示部において、第１の表示手順の技術情報表示手順により指導情報を表示することができるうになる。
【００３６】
一方、歯科診療支援センターのサーバーコンピュータは、サーバ第２受信手段の第２技術情報受信部において、サーバ第２受信手順の第２技術情報受信手順により、指導情報を受信することができるようになる。さらに、サーバ第１送信手段の第１技術情報送信部においてサーバ第１送信手順の第１技術情報送信手順により、第１の端末装置へ指導情報を送信することができるようになる。これらにより、第２の端末装置において、指示された指導情報を第１の端末装置に送信することができるようになる。
【００３７】
さらに、請求項５の発明による歯科診療支援システムにおいては、サーバコンピュータには、請求項１６のプログラムを、第１の端末装置には、請求項１７のプログラムをインストールして用いることにより、サーバコンピュータの端末装置更新手段及び、端末装置更新手順により所定の期間毎乃至は歯科診療技術情報記憶手段が更新される毎に第１の端末装置の歯科診療技術情報記憶部を更新された歯科診療技術情報で更新する更新情報を送信することができるようになる。さらに、第１の端末装置においては、第１の受信手段の更新情報受信部において、第１の受信手順の更新情報受信手順により、更新情報を受信することができるようになる。さらに、第１の端末装置更新手段において、第１の端末装置更新手順により、更新情報に従い更新された歯科診療技術情報により歯科診療記憶手段を更新することができるようになる。
【００３８】
さらに、上述した発明を統合的に用いることにより、以下の効果が得られる。
【００３９】
歯科医は、自己の診療所で、最新の治療方法を学習することができるようになり、又、指導を受けることができるようになる。自己の治療状況を撮像し、録画し、それを指導医に検討してもらい、指導を受けることにより、一過性の指導でなく、自己の治療を振り返り、さらに、患者さんの治療結果を比較して、学習することができるので、より早い上達を期待することが可能である。又、指導医においても、例えば、治療の途中では、時間が掛かり、指導できない内容でも、録画であれば、画像を一旦止めて、歯科医に対して十分な時間を用いて指導することが可能となる。又、実際の治療を行った画像を用いて指導することにより、より明確に歯科医に対して、どのような治療を行ったらよいか指導することが可能となる。さらに、この録画、指導が、歯科医の診療所、指導医の研究室などにおいて行うことができるので、双方共に、時間の拘束などが最小限で済み、より多くの時間を指導をし、される時間に充てることが可能となる。
【００４０】
さらに、模範の治療映像も見ることができるため、自己の治療映像と比較し、指導を受けることにより、より明確に、早く、最新の高度な専門技術を習得することが可能となす。
【００４１】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００４２】
以下、本発明の歯科診療支援システムについて図面を参照して説明する。図１は、歯科診療支援システムのネットワークを介した接続関係を示した図である。
【００４３】
第１の端末装置１０A 、１０B 、１０C は、一般の歯科医の診療所の診察室、手術室などに設置されている。第１の端末装置１０A は、例えば、公衆回線８、歯科医の加入しているインタネットサービスプロバイダを含むインタネット網７b 、７ｃを介して、歯科診療支援センターのサーバコンピュータ３０（以下、サーバコンピュータ３０記述する）と接続する。一方、第２の端末装置２０は、携帯可能な指導医の端末装置である。第２の端末装置２０は、携帯電話回線を含む公衆回線８又は公共無線ＬＡＮと、指導医の加入しているインタネットサービスプロバイダを含むインタネット網７a を介して、サーバコンピュータ３０と接続する。サーバコンピュータ３０は、第１の端末装置１０と、第２の端末装置２０が相互に情報交換可能に接続する。第１の端末装置１０、第２の端末装置２０に関する情報は、予め、管理端末９からローカルエリアネットワーク５（以下ＬＡＮ５と記述する）、 ワイドエリアネットワーク（以下ＷＡＮと記述する）などを介してサーバコンピュータ３０に登録されている。
【００４４】
さらに、第１の端末装置１０、第２の端末装置２０、歯科診療支援センターのサーバコンピュータ３０には、それぞれ対応する上述した本発明によるプログラムがインストールされている。
【００４５】
次に、図２は、第１の端末装置のハードウェアの接続ブロック図である。
【００４６】
第１の端末装置１０A の物理的なハードウエア構成としては、周知のパーソナルコンピュータに対し、第１の音声入力手段１０m としてのマイク１０Ａｍ、第１の音声出力手段１０ｓとしてのスピーカ１０Ａｓ、撮像手段１０c としてのカメラ１０Ａｃ、インタネットを含むネットワークへの接続装置としての第１の接続手段を構成するモデム、ターミナルアダプタ等の周辺機器を備えたコンピュータシステムにより具現されている。          
【００４７】
本発明の第１の端末装置１０は、CCD カメラ及び周辺機器からなる撮像手段１０c 、マイクロフォンおよび周辺機器からなる第１の音声入力手段１０m 、スピーカ及び周辺機器からなる第１の音声出力手段を備え、ハードディスク、ＭＯ、ＤＶＤ等の外部記憶装置及びその周辺機器からなる第１の記憶手段１４０と、ディスプレイ等のモニタ装置及びその周辺機器からなる第１の表示手段１１０と、データの受信に関わるファームウェア及び周辺機器からなる第１の受信手段１２０と、データ送信に関わるファームウェア及び周辺機器からなる第１の送信手段１３０と、これらを制御し、第１の端末装置１０において必要とされる機能を実現するための処理プログラムを実行するＣＰＵを備えた制御装置１００により構成される。さらに、必要に応じて、キーボード、マウス等の入力装置、及び入力ボタン等も備えている。
【００４８】
本発明にかかる第１の端末装置１０にインストールして用いるプログラムは、第１の端末装置１０にインストールされて使用されることによりプログラムの有する複数の機能、及び手順実施することができる。また、第２の端末装置２０にインストールして用いられるプログラムは、第２の端末装置２０のコンピュータにインストールして用いられることによりプログラムの有する複数の機能、及び手順実施することができる。これらのプログラムは、これに限定されないが、例えば、ウインドウズ等の汎用ＯＳの下で起動される。さらに、歯科診療支援センターのサーバコンピュータ３０にインストールして用いられるプログラムは、歯科診療支援センターのサーバコンピュータ３０にインストールして用いられることによりプログラムの有する複数の機能、及び手順実施することができる。をこれらの歯科診療支援センターのサーバコンピュータ３０のプログラムは、これに限定されないが例えば、ウインドウズ等のサーバ対応の汎用ＯＳの下で起動される。
【００４９】
次に、図３は、第２の端末装置２０のハードウェアの接続ブロック図である。
さらに、第２の端末装置２０の物理的なハードウエア構成としては、周知のパーソナルコンピュータに対し、第２の音声入力手段２０m としてのマイク２０ｍ、第２の音声出力手段２０ｓとしてのスピーカ２０ｓ、インタネットを含むネットワークへの接続手段としての第２の接続手段２５０を構成するモデム、ターミナルアダプタ等の周辺機器を備えたコンピュータシステムにより具現されている。
【００５０】
第２の端末装置２０は、マイクロフォンおよび周辺機器からなる第２の音声入力手段２０m 、スピーカ及び周辺機器からなる第２の音声出力手段を備え、ハードディスク、ＭＯ、ＤＶＤ等の外部記憶装置及びその周辺機器からなる第２の記憶手段２４０と、ディスプレイ等のモニタ装置及びその周辺機器からなる第２の表示手段２１０と、データの受信に関わるファームウェア及び周辺機器からなる第２の受信手段２２０と、データ送信に関わるファームウェア及び周辺機器からな第２の送信手段２３０と、これらを制御し、第２の端末装置２０において必要とされる機能を実現するための処理プログラムを実行するＣＰＵを備えた制御装置２００により構成される。さらに、必要に応じて、キーボード、マウス等の入力装置、及び入力ボタン等も備えている。
【００５１】
次に、図４は、歯科診療支援センターサーバコンピュータ３０のハードウェアの接続ブロック図である。さらに、サーバコンピュータ３０の物理的なハードウェア構成としては、周知のサーバー機能を有するコンピュータシステムに対し、複数の第１の端末装置１０接続するサーバ第１接続手段３５０、複数の第２の端末装置２０と接続するサーバ第２接続手段３５５を備えたコンピュータシステムにより具現されている。
【００５２】
上記、 及び以後の説明では簡単のために、 第１の端末装置１０、第２の端末装置２０、サーバコンピュータ３０、いずれも、 代表的な例において、 １台について説明するが、 第１の端末装置１０、第２の端末装置２０、サーバコンピュータ３０いずれも複数台の接続設置が可能であり、一般的には複数台の接続設置がなされるものであるが、 その動作は、 共通であるので、 説明を省略する。  
【００５３】
次に、上述したそれぞれの装置に付いて相互の動作を交えて、詳しく説明する。先ず、歯科診療支援システムにおいて、第１の端末装置１０は、一般の歯科医の診察室、手術室などに設置されており、対応するプログラムがインストールされている。さらに、電源が投入され、第１の端末装置１０の第１の表示手段１１０には、図５に示す、初期画面４００が表示されている。
【００５４】
ここで、初期画面４００について説明する。表示されているボタンは、マウス等のポインティングデバイス（以下、マウスと記載）により選択クリック（以下、クリックと記載）されることにより、起動、実行される。メニューボタン４０１は、メニュー画面である初期画面４００を表示する。画像を送るボタン４０２は、ＣＣＤカメラ、レントゲン写真、ディジタルカメラ等により撮像し、メモリ、外部記憶装置等に記憶されている画像を第２の端末装置２０へ送信するための入力画面を表示させるボタンである。メールを送るボタン４０３は、指導医への連絡等の電子メールを送るための入力画面を表示させるボタンである。ヘルプボタン４０４は、ヘルプ画面６００を表示させるボタンである。１つ戻るボタン４０５は、操作をしていて、１つ手前の画面に戻りたい時クリックすることにより、１つ手前の画面に戻るボタンである。
【００５５】
サポートメニューの歯科診療支援依頼ボタン４１１は、一般の歯科医が、自己の診察室で、例えば、インプラント、成人歯列矯正などの高度な専門技術を要する治療を行う時、クリックすることにより、歯科診療支援センターのサーバコンピュータ３０へ接続の手続きを行い、歯科診療支援の依頼を行うと同時に、歯科診療支援画面５００を表示する。詳細は、あとで述べる。次に、医療機材購入支援ボタン４１２は、クリックすることにより高度な専門医療を行うために必要な機材、材料の購入を支援する画面を表示する。高度な専門医療を行うための機材、資材は専門的であるため一般には入手が難しい。そのため、本システムでは、医療機材、資材の購入支援を行う。
【００５６】
ムービーメニューの模範治療映像ボタン４２１は、クリックすることにより、第１の端末装置１０の歯科診療技術情報記憶部１４１に記憶された歯科診療技術情報の映像を歯科診療技術情報表示部１１６において見ることができる（歯科診療技術情報閲覧手段１０１）。最新模範治療映像ボタン４２２は、クリックすることにより、最新情報記憶手段３４２に記憶された最新の歯科診療技術情報を見ることができる。模範治療中継映像ボタン４２３は、クリックすることにより、指導医による模範治療の中継が有る時は、その映像を見ることができる。ビデオマニュアルボタン４２４は、クリックすることにより、本システムの使用法、利用法に付いてのビデオ映像を見ることができる。いずれの場合においても、対応するメニュー画面が表示され見たい映像を対応するメニューから選択することができる。又、最新の歯科診療技術情報に付いては、自己の第１の端末装置１０へダウンロードすることも可能である。さらに、中継映像においては、自己の第１の端末装置１０の第１の記憶手段１４０へ記憶させることも可能である。
【００５７】
マニュアル、文献メニューの、治療マニュアルボタン４３１は、クリックすることにより歯科診療技術情報記憶部１４１に記憶された治療マニュアルを閲覧することができる（歯科診療技術情報閲覧手段１０１）。最新治療マニュアルボタン４３２は、クリックすることにより最新情報記憶手段３４２に記憶された最新の歯科診療技術情報を閲覧することができる。技術文献ボタン４３３は、クリックすることにより歯科診療技術情報記憶部１４１に記憶された内外の専門誌、学術論文、技術文献等を見ることができる（歯科診療技術情報閲覧手段１０１）。最新技術文献ボタン４３４は、クリックすることにより最新情報記憶手段３４２に記憶された最新の内外の専門誌、学術論文、技術文献等を見ることができる。何れも、対応するメニューから希望の文献、専門誌、学術論文等を選択することができる。さらに、最新の歯科診療技術情報に付いては、歯科診療技術情報記憶部１４１に記憶させることも可能である。
【００５８】
財務マニュアルボタン４３５は、クリックすることにより歯科診療所における財務管理に付いてのマニュアルを読むことができる。経営マニュアルボタン４３６は、クリックすることにより歯科診療所における経営に付いてのマニュアルを読むことができる。電話応対マニュアルボタン４３７をクリックすることにより、歯科診療所における電話応対に付いてのマニュアルを見ることができる。さらに、接遇マニュアルボタンをクリックすることにより、歯科診療所におけるスタッフのための接遇方法に付いてのマニュアルを見ることができる。財務、経営、電話応対、接遇などのマニュアルは、実際の歯科診療技術の習得とは異なるものであるが、歯科医、診療所スタッフにとっては、歯科診療技術の次に大切な、知識である。現在においては、インフォームドコンセントが推奨され、医師と患者の間において、充分な説明と、納得が要求される。そのためには、医師、スタッフがどのような態度、話し方で、患者に対応するかはとても重要である。しかし、大学などにおいては、患者応対に付いての分野の学習機会は少ないにも拘らず要求は多い。従って、このようなマニュアル類を充実させることにより、歯科医、スタッフが安心して、歯科治療に専念できるようになる。
【００５９】
次に、歯科診療支援依頼ボタン４１１がクリックされ、画面５００が表示された状態から、第１の端末装置１０、第２の端末装置２０、歯科診療支援センターのサーバコンピュータ３０の相互の動作を交え、詳細に説明する。
第１の端末装置１０は、歯科診療支援依頼ボタン４１１がクリックされると、画面５００を表示する。画像音声指導ボタン５０１をクリックすることにより、画像と、音声による歯科診療支援を受けることができるようになる。先ず、記憶しているサーバコンピュータ３０のアドレスへ、接続を行う。サーバコンピュータ３０は、予め登録されている第２の端末装置２０へ接続手続きを取り、第１の端末装置１０のユーザ情報、アドレス情報などを送信する。これにより、サーバコンピュータ３０により、第１の端末装置１０は、第２の端末装置２０と情報を相互に交信可能の状態である。
次に、撮像手段１０ｃにより撮像した画像を第１の表示手段１１０の撮像画像表示部１１２により表示領域５１１に表示する。同時に、第１の画像送信部１３１において、第１の画像送信手順により第１の接続手段１５０、インタネット網７を介して送信する。
【００６０】
従って、撮像手段１０ｃにより撮像された画像は、サーバコンピュータ３０へ送信され、サーバコンピュータ３０のサーバ第１接続手段３５０を介し、サーバ第１受信手段３２０により受信され、サーバ第２送信手段３３５によりサーバ第２接続手段３５５を介して、第２の端末装置２０へ中継画像として送信される。第２の端末装置２０では、第２の接続手段２５０と、第２の受信手段２２０の第２の画像受信部２２２を介して受信され、第２の画像表示部２１１により表示される。同時に、音声についても、第１の音声入力手段１０ｍから入力された音声は、第１の送信手段１３０の第１の音声送信部１３２により、デジタル信号に変換され、送信される。画像情報と同様に第２の端末装置２０へ送信され、第２の受信手段２２０の第２の音声受信部２２１により受信され、第２の音声出力手段２０ｓのスピーカを通して、出力される。同様に、指導医の第２の端末装置２０からの音声も、第２の音声入力手段２０ｍにより入力され、第２の送信手段２３０の第２の音声送信部２３２により、第２の接続手段２５０を介して、サーバコンピュータ３０へ送信される。これにより、音声において、相互に交信可能となる。
【００６１】
第１の端末装置１０における医師は、自己の第１の端末装置１０の第１の表示手段１１０の表示エリア５１１（撮像画像表示部１１２）により表示された撮像画像について、自分が指導を受けたいちょうど良いタイミングの画像になったとき、停止状態の静止画像に動画/ 一旦停止ボタン５２１（第１の切り替え手段１０３）により、切り替える。この動画/ 一旦停止ボタン５２１は、例えば、表示領域５１１（撮像画像表示部１１２）に表示されている画像が動画の場合、静止画像切り替えボタンを表示し、指でタッチ、マウス等によりクリックすることで、静止画像状態に切り替える。また、静止画像の場合は、動画切り替えボタンを表示し、画面を指でタッチ、マウス等によりクリックすることで、動画状態に切り替える。同様に、第２の端末装置２０における指導医は、自己の第２の端末装置２０の第２の表示手段２１０の第２の画像表示部２１１により表示された撮像画像について、指導を与える必要のある画像になったとき、第２の切り替え手段２０５により動画から静止画像に切り替える。この第２の切り替え手段２０５は、第１の端末装置１０の第１の切り替え手段１０３と同様に、表示されている画像が、動画の場合、静止画像切り替えボタンを表示し、画面を指でタッチ、マウス等によりクリックすることで、静止画像状態に切り替える。また、静止画像の場合は、動画切り替えボタンを表示し、指でタッチ、マウス等によりクリックすることで、動画状態に切り替える。
【００６２】
又、表示領域５１２をさらに設けることにより、初期状態では、表示領域５１１と、表示領域５１２には、撮像手段１０ｃにより撮像されている画像を常に表示し、動画/ 一旦停止ボタン５２１をクリックした時には、表示領域５１１の領域には、クリッした時点の画像を表示し、動画/ 一旦停止ボタン５２１を動画切り替えボタンを表示する。表示領域５１１に表示された画像に付いては、早送りボタン５２２、巻き戻しボタン５２０による、撮像画像の希望の時点の画像を表示させるようにしても良い。この場合、撮像画像は、第１の記憶手段１４０、サーバ記憶手段３４０などの記憶手段に記憶させればよい。      
【００６３】
以下、第１の端末装置１０の表示画像に対しても、第２の端末装置２０の表示画像に対してもその動作は同様であるので、重複した説明を避けるために、第１の端末装置１０に対しての説明を行う。
【００６４】
また、表示画像に対して、上、下、左、右に、移動したい場合は、第１の音声出力手段１０ｓに対して、「上」、「下」、「右」「左」等の移動の指示語を発話する。第１の画像移動手段１０４において、指示語の内容を解析し、画像の視点ポイントを移動させ、再表示することで、画像を移動させる。また、表示画像に対して、拡大、縮小したい場合は、「拡大」、「大きく」、「縮小」、「小さく」等の大きさに関する指示語を発話する。第１の表示画像拡大縮小手段１０５において、指示語の内容を解析し、視点ポイントを中心に所定の倍率に拡大、縮小し、再表示する。また、移動、拡大、縮小の指示は、音声のみだけでなく、マウス等により、移動させても良く、画面に、移動ボタン５２８、拡大縮小ボタン（５２６、５２７）を配置し、ボタンを、指、タッチペン、マウス等により操作することで、実行しても良い。第２の端末装置２０の、第２の画像移動手段２０６、第２の表示画像拡大縮小手段２０７についても同様である。第１の画像移動手段１０４、第１の表示画像拡大縮小手段１０５、第２の画像移動手段２０６、第２の表示画像拡大縮小手段２０７は、既知の音声認識手段を備え、必要に応じて、第１の記憶手段１４０、第２の記憶手段２４０に言語辞書等のデータベースを備え、言語での入力に対応している。
【００６５】
次に、指導医が、表示された撮像画像を介して、指示を与える際の第１の端末装置１０、第２の端末装置２０の動作に付いて説明する。
【００６６】
一般的には、第２の端末装置２０において、複数の第１の端末装置１０からの撮像画像が、複数表示されている。第２の端末装置２０の指導医は、表示されている画像の中から、指導を行い、音声、画像の交信を相互に行う第１の端末装置１０の画像を画像選択手段２０１によりマウスで、画面をクリックするなどして、画像を選択する。以後、選択した画像に対して音声が入力され、指導を与える際の画像に対する、指示情報入力手段２０２による入力が可能となる。指示情報入力手段２０２においては、タッチペン、マウスなどによるポインティングデバイスによる入力、指による画面に対して直接触れることによる、線などの入力、取り消し、キーボードを介しての文字の入力により、指示位置を指し示したり、指示内容を入力する。入力された指示情報は、第２の画像送信部２３１により、第１の端末装置１０へ送信される。第１の端末装置１０においては、画面５００における表示領域５１０にその指示情報が表示される。又、キーボードを介しての文字の入力は、表示領域５３０に表示され、第１の端末装置１０、第２の端末装置２０双方から入力された文字情報が、双方の端末装置のそれぞれの表示領域に同時に、表示される。この時、指導医の音声も同時に、第２の音声送信部２３２により送信され、選択された画像の第１の端末装置１０への入力として送信される。この時サーバコンピュータ３０は、第２の端末装置２０からの音声をの画像選択手段２０１により選択された第１の端末装置１０に対しての、音声としてサーバ第１送信手段３３０により、選択された第１の端末装置１０に対して音声を送信する。また、受信した複数の第１の端末装置１０からの音声も、選択された第１の端末装置１０からの音声のみを選択し、サーバ第２送信手段３３５により、第２の端末装置２０へ送信する。これにより、第２の端末装置２０においては、選択された画像についての音声の送受信が可能となる。
【００６７】
表示領域５１０、５１１、５１２は、必要に応じて、表示内容を相互に切り替えることが可能である。自己の撮像状態をより大きな画像で確認したい時は、表示領域５１２において表示していた撮像画像を表示領域５１０において表示する。さらに、表示領域５１１、５１２においては、表示領域５１０において表示領域を大きく確保したい時は、表示領域５１０の背後に置くこともできる。さらに、指導医による指導は、通常は、指導医からの選択により行われるが、緊急に指導を受けたい場合は、指導希望ボタン５２５をクリックすることにより、指導を希望をリクエストを送信するようにし、第２の端末装置２０においては、リクエストの信号を受信すると、該当する歯科医の画面のフレームを明滅させるなどの合図を表示ようにしてもよい。
【００６８】
上述した指導医による指導は、現在撮像されている画像に対して指導を入力したが、撮像画像を逐次サーバコンピュータ３０のサーバ記憶手段３４０に記憶させ、巻き戻しボタンを画像上に表示させ、巻き戻しボタンをクリックすることで、撮像を開始してからの希望の時点に、表示画像を戻す様にしてもよい。このようにすることにより、より指導の容易な状態の画像を選択することが可能となる。又、撮像手段１０ｃにより撮像された治療状況を録画したい場合は、録画ボタン５２４をクリックすることにより、任意の時点で、録画の開始、停止を行うことができるようになる。
【００６９】
さらに、音声通話ボタン５０２をクリックすることにより、画像を伴わない、音声のみによる指導を受けることも可能である。
【００７０】
さらに、表示領域５１１に表示する映像を撮像映像ボタン５０３により、撮像画像を表示するようにすることができる。このボタンは、例えば、ファイル操作ボタン５０４において、歯科診療技術情報の映像を表示させて指導を受けている時、撮像手段１０ｃによる画像に切り替えたい時に使用するものである。
【００７１】
さらに、表示領域５０５には、現在表示されている画像のファイル名、表示時間、音量等の現在の状態を表す情報を表示する。
【００７２】
また、サーバコンピュータ３０は、サーバ記憶手段３４０の歯科診療技術情報記憶手段３４１に、専門の指導医による複数の模範治療映像、複数の技術文献、複数の治療マニュアルからなる歯科診療技術情報を、最新情報記憶手段３４２に専門の指導医による最新の複数の模範治療映像、最新の複数の技術文献、最新の複数の治療マニュアルを記憶し蓄積している。これらの情報は、サーバコンピュータ３０に接続された管理端末９から随時更新される。最新情報記憶手段３４２の歯科診療技術情の更新に伴い、更新蓄積手段３０１は、最新情報記憶手段３４２に同種の情報があれば、自動的に更新前の歯科診療技術情報を歯科診療技術情報記憶手段３４１に移動蓄積し、登録情報を更新する。
【００７３】
さらに、端末装置更新手段３０２は、第１の端末装置１０に対して、所定の期間毎、又は歯科診療技術情報記憶手段３４１が更新された時に、歯科診療技術情報記憶部１４１を更新された歯科診療技術情報で更新するように更新情報を作成し、第１の端末装置１０へ送信する。この時第１の端末装置１０に関するアドレス等の情報は、予めサーバ記憶手段３４０に記憶登録されている。第１の端末装置１０は、更新情報を更新情報受信部１２４により受信し、第１の端末装置更新手段１０２により、歯科診療技術情報記憶部１４１を更新する。この時、サーバコンピュータ３０から送信される更新情報は、例えば、更新されたことを連絡する情報であり、この更新情報により、第１の端末装置１０は、サーバコンピュータ３０へ接続すると端末装置更新手段３０２に必要な更新された歯科診療技術情報が送信され、歯科診療技術情報記憶部１４１を更新することができる。更新情報の構成、更新の方法は、多種知られているので、どの方法によってでも、結果的に、歯科診療技術情報記憶手段３４１に記憶されている歯科診療技術情報と、歯科診療技術情報記憶部１４１に記憶されている情報が、歯科診療技術情報記憶手段３４１が更新されると同時に、又は、ある一定の期間毎に同一の情報と成るように更新されれば良い。又、第１の端末装置１０は、更新情報を受信しなくても、自身からサーバコンピュータ３０へ接続し、歯科診療技術情報記憶手段３４１の歯科診療技術情報が更新されていないか確認することを可能にしてもよい。このように、第１の端末装置１０から問い合わせる事を可能にする事により、歯科診療技術情報記憶手段３４１の更新頻度が高い場合、更新する毎に更新情報を作成して第１の端末装置１０へ送信することは、サーバコンピュータ３０にとっても、第１の端末装置１０にとっても、煩雑で負担である。そのため、所定の期間毎にサーバコンピュータ３０から、更新情報を送信することとすると、第１の端末装置１０としては、常に最新の情報を取得することができなくなる。しかし、第１の端末装置１０から、更新情報の問い合わせを行うことにより、第１の端末装置１０において、最新情報が必要となった時に問い合わせることにより、常に最新の情報を得ることができるようになる。さらに、第１の端末装置１０に電源が投入された時に、自動的に最新情報を問い合わせ、最新の情報を取得するように本システムのプログラムのより制御してもよい。このようにすることにより、歯科医が意識しなくても、自動的に第１の端末装置１０の歯科診療技術情報が最新のものに更新されるようになる。
【００７４】
一般の歯科医は、第１の端末装置１０において、上述した歯科診療技術情報記憶部１４１に記憶された歯科診療技術情報を、歯科診療技術情報閲覧手段１０１（ヘルプボタン４０４、ビデオマニュアルボタン６０４、マニュアルボタン６０５）により、歯科診療技術情報表示部１１６（表示領域６２０）に表示させ、治療行為を行う前に、必要な歯科診療技術情報を閲覧する。例えば、自己が、これから行う予定の治療に付いての専門の指導医による模範治療映像を視聴する、技術文献を読む、治療マニュアルを確認することにより、治療にあたっての手順、注意点等を学習、確認する。必要であれば、繰り返し、視聴し、学習、確認する。又、サーバコンピュータ３０に接続し、最新情報記憶手段３４２の中から、自己が必要とする情報があればそれを閲覧し、最新の技術情報を取得する。同時に、自己の第１の端末装置１０の歯科診療技術情報記憶部１４１へダウンロードするようにしてもよい。さらに、随時、最新情報記憶手段３４２を閲覧することにより様々な最新の技術情報を取得することが可能となる。このようにすることにより、一般の歯科医であっても、自身の診療所に居ながらにして、最新の歯科診療技術情報を取得することができるようになる。又、歯科診療技術情報閲覧手段１０１は、歯科診療技術情報記憶部１４１、最新情報記憶手段３４２に記憶されている歯科診療技術情報の一覧を歯科診療技術情報表示部１１６に表示させ、その内容を閲覧させる。又、キーボードからの文字の入力によりキーワードを設定することにより、歯科診療技術情報の中から該当する情報を検索し表示することもできる。
【００７５】
指導医は、第２の端末装置２０において、指導情報選択設定手段２０４により、歯科診療技術情報記憶手段３４１、最新情報記憶手段３４２に記憶された情報の中から、第１の端末装置１０の医師が必要としている情報を選択し、指導情報表示部２１５により表示させる。次に、指導情報表示部２１５に表示させた情報に対して、必要な指導情報を指導情報入力手段２０３により入力する。ここで、指導情報選択設定手段２０４は、歯科診療技術情報記憶手段３４１、最新情報記憶手段３４２に記憶された情報の一覧を指導情報表示部２１５に表示する。指導情報表示部２１５に表示した内容を閲覧するためのコントロールをする。さらに、キーボードからの文字入力によるキーワードを用いて、記憶された内容の検索を行い、一致した情報の一覧を表示し、さらに、その内容の表示をコントロールするものである。一方、指導情報入力手段２０３は、指示情報入力手段２０２と同様に、表示された内容に対して、マウス、タッチペン、キーボード、指等により、入力を可能にする。従って、指導医は、例えば、表示された内容に対して、マウス、タッチペン、キーボード、指等により、注目する部分に目印を付ける、注意する内容を書き込むなどを行う。
【００７６】
次に、ヘルプ画面６００に付いて説明する。本画面においては、マニュアル類の表示を行うと共に、本システムを使用する際に、様々な操作サポートを簡単に受けることができるようにした画面である。
【００７７】
基本操作ボタン６０２により、基本的な操作に付いての説明のメニューが表示される。良くある質問と答えボタン６０３をクリックすることで、操作、したいこと別に、簡単な質問に答えることで、よく質問される内容が表示され、それを選択することで、自己解決が可能な回答を用意している。システムに不慣れなユーザであっても、簡単に使う事ができる。さらに、ビデオマニュアルボタン６０４をクリックすることで、本システムの使い方のビデオマニュアル、及び治療方法のビデオをを見ることができる。マニュアルを見るボタンをクリックすることで、システムに用意されたマニュアル類を見ることができる。さらに、遠隔サポート依頼ボタン６１０をクリックすることで、自己のＩＰアドレスを検知し、ＩＰアドレス表示領域６１１に表示する。依頼するボタン６１２をクリックすることにより、予め記憶されているサポートセンターのオペレータのコンピュータに接続し、自己のＩＰアドレスを送信する。サポートセンターのオペレータのコンピュータは、送信されたＩＰアドレスを用いて、第１の端末装置１０へ遠隔操作を行い、第１の端末装置１０が必要としている、設定、ファイルのダウンロードなどを行う。オペレータによる遠隔サポートにより、コンピュータシステムに詳しくない歯科医であっても、複雑な設定は、オペレータにより行われるため、より使い易くなる。オペレータのコンピュータは、管理端末９であっても良いし、歯科診療支援センターに設置された別のコンピュータであっても、歯科診療支援センターとは別の場所に設置され、インタネットにより接続されたコンピュータであっても良い。  
【００７８】
次に、各装置の処理手順に付いて図５、図６、図７、図８、図９、図１０のフローチャートに従い説明する。
【００７９】
先ず、第１の端末装置１０と、第２の端末装置２０は、上述したとおり、サーバコンピュータ３０とインタネットを含むネットワークと接続されており、その手順は良く知られているので、ここでは詳述しない。ネットワークとの接続は、例えば、公衆電話回線を介するもの、ケーブルテレビのケーブルを介するもの、光ファイバーケーブルを介するものなど、様々な方法、手順が知られているが何れであっても構わない。
【００８０】
図５に示すように、第１の端末装置１０は、撮像手段１０c により治療映像を撮像する。第１の音声入力手段１０m により、歯科医の音声、治療室の音声を入力する（Ｓ４００）。撮像された画像は、撮像画像表示手順により表示領域５１１（撮像画像表示部１１２）に表示される（Ｓ４０２）。必要に応じて撮像画像の一旦停止、動画状態への切り替えを行い、表示部分の移動、拡大、縮小を行う（Ｓ４０４）。この部分に付いては、図８のフローチャートに従い後で詳述する。第２の端末装置２０から送信された、指導情報が入力された画像を表示領域５１０に表示する（Ｓ４０６）。第２の端末装置２０から送信された指導医の音声を第１の音声出力手段により出力する（Ｓ４０８）。第１の端末装置１０は、Ｓ４００からＳ４０８を繰り返すと同時に、画像の送信処理（Ｓ４１０）、音声の送信処理（Ｓ４１２）、及び、画像の受信処理（Ｓ４２０）、音声の受信処理（Ｓ４２２）を並行して実行する。これにより、第１の端末装置１０において、画像の撮像処理、音声処理、表示処理を行いながら、第２の端末装置２０との情報の送受信を行うことが可能となる。
【００８１】
次に、図６に示すように、第２の端末装置２０は、接続している複数の第１の端末装置１０から送信される複数の撮像画像を第２の画像表示部２１１に第２の画像表示手順により表示する（Ｓ５００）。画像選択手順により撮像画像の中から、指導を行う画像を選択し、クリックする（Ｓ５０２）。選択画像の一旦停止、移動、拡大、縮小を行う（Ｓ５０４）。選択している画像の第１の端末装置１０からの音声を出力する（Ｓ５０６）。選択画像への指導情報の入力、音声での指導を行うを行う（Ｓ５０８）。指導情報選択設定手順により歯科診療技術情報から、必要な情報を選択設定し、指導情報入力手順により指導情報を入力する（Ｓ５１０）。第２の端末装置２０は、Ｓ５００からＳ５１０を繰り返すと同時に、画像の受信処理（Ｓ５２０）、音声の受信処理（Ｓ５２２）及び、画像の送信処理（Ｓ５３０）、音声の送信処理（Ｓ５３２）、を並行して実行する。これにより、第２の端末装置２０において、複数の第１の端末装置１０からの撮像画像の表示、音声処理、複数の第１の端末装置１０から指導する第１の端末装置１０の選択、指導情報の入力を行いながら、第１の端末装置１０との情報の送受信を行うことが可能となる。
【００８２】
次に、図７に示すように、サーバコンピュータ３０は、主に、第１の端末装置１０からの画像、音声の受信（Ｓ６００）、第２の端末装置２０への画像、音声の送信（Ｓ６０２）、第２の端末装置２０からの画像、音声の受信（Ｓ６０４）、第２の端末装置２０により選択されている第１の端末装置１０へ画像、音声の送信（６０６）を行う。Ｓ６００Ｓ６０６を常に繰り返すことにより、第１の端末装置１０から、第２の端末装置２０へ、第２の端末装置２０から、第１の端末装置１０へ情報の交信を行う。さらに、図９に示すように、必要に応じて、歯科診療技術情報の更新処理を行う。例えば、サーバコンピュータ３０に接続された管理端末９から歯科診療技術情報記憶手段３４１への歯科診療技術情報の登録入力を歯科診療技術情報記憶手順により行う（Ｓ８００）。次に、最新情報記憶手段３４２への最新の歯科診療技術情報の登録を行い、更新蓄積手順により歯科診療技術情報記憶手段３４１を更新する。Ｓ８０４において、歯科診療技術情報記憶手段３４１を更新してから所定の期間が経過したか、歯科診療技術情報記憶手段３４１が更新されたと判断された場合、端末装置更新手段３０２において、端末装置更新手順に従い、更新情報を作成する。作成した更新情報をサーバ記憶手段３４０に登録されている第１の端末装置１０の登録情報に従い第１の端末装置１０へ送信する。ここで、Ｓ８０４における判断条件は、歯科診療技術情報記憶手段３４１の更新が頻回である場合は、所定の期間毎に、更新情報を作成するようにし、更新が、頻回でない場合は、歯科診療技術情報記憶手段３４１が更新される毎に更新情報を作成する。ここで、頻回とは、更新情報を作成して、第１の端末装置１０への送信が、サーバコンピュータ３０にとって負担である場合である。サーバコンピュータ３０に十分能力があり、通常業務に支障を来たさなければ、歯科診療技術情報記憶手段３４１が更新される毎に、更新情報を作成して送信することが望ましい。又、歯科診療技術情報記憶手段３４１が更新される毎に更新情報は、作成するが、第１の端末装置１０への送信は、所定の期間毎としても良い。
【００８３】
一方、第１の端末装置１０における歯科診療技術情報記憶部１４１に記憶された歯科診療技術情報の更新処理手順に付いて図１０のフローチャートに従い説明する。
【００８４】
先ず、歯科診療技術情報の初期登録を行う（Ｓ９００）。これは、ネットワークを介して、サーバコンピュータ３０から受信しても良く、歯科診療支援システムのシステム導入時に、CD-ROM、DVD 等により、登録しても良い。ネットワークに接続し、システム起動後は、サーバコンピュータ３０からの更新情報を受信した場合、自動的に、更新情報の受信を判断する（Ｓ９０２）。更新情報の受信をした場合は、受信した更新情報に従い歯科診療技術情報記憶部１４１に記憶された歯科診療技術情報を第１の端末装置更新手順により更新する（Ｓ８０４）。さらに、サーバコンピュータ３０からの更新情報の送信が、所定の期間毎の場合、最新の歯科診療技術情報が得られたない場合がある。その場合は、最新情報を第１の端末装置１０から、サーバコンピュータ３０へリクエストし、歯科診療技術情報記憶部１４１の更新を行う（Ｓ９０８）。
【００８５】
次に、第１の端末装置１０、第２の端末装置２０における表示画像の制御に付いて図８のフローチャートに従い説明する。
【００８６】
表示画像上に表示された一旦停止ボタンがクリック又は指などによるタッチ入力があったかチェックする（Ｓ７００）。動画/ 一旦停止ボタン５２１の入力があった場合は、Ｓ７０２により撮像画像の動画表示は、一旦停止する。Ｓ７０４において、表示画像上に表示された動画/ 一旦停止ボタン５２１がクリック又は指などによるタッチ入力があったかチェックする（Ｓ７０４）。入力があった場合は、受信した画像をそのまま表示するようにすることにより動画状態へ切り替える（Ｓ７０６）。Ｓ７０８により、画像の表示位置の移動の指令（上下左右移動ボタン５２８の入力、音声による指示）があったか判断する。移動指令があったと判断されると、Ｓ７１０において、指令の方向に画像の表示位置を移動する為、視点ポイントを移動する。Ｓ７１２において、移動した視点ポイントを中心に画像の再表示を行い画像の異動を完了する。Ｓ７１４において、画像の拡大表示の指令（拡大ボタン５２６又は音声による指示）があったか判断する。画像の拡大表示の指令があったと判断されると、指令に従い、視点ポイントを中心に、所定の倍率拡大する（Ｓ７１６）。ここで、所定の倍率は例えば、１．２倍である。さらに拡大表示が必要な時は繰り返し、拡大の指令を行うことより、希望の倍率の拡大表示を得ることができる。ここでは１．２倍としたが、それ以外でも良い。Ｓ７１８において、再表示を行い、拡大表示を完了する。Ｓ７２０において、画像の縮小表示の指令（縮小ボタン５２７又は音声による指示）があったか判断する。画像の縮小表示の指令があったと判断されると、指令に従い、視点ポイントを中心に、所定の倍率縮小する（Ｓ７２２）。ここで、所定の倍率は例えば、０．８倍である。さらに縮小表示が必要な時は繰り返し、縮小の指令を行うことより、希望の倍率の縮小表示を得ることができる。ここでは０．８倍としたが、それ以外でも良い。Ｓ７２４において、再表示を行い、拡大表示を完了する。
【００８７】
又、初期倍率に戻すボタンを設け、そのボタン入力がされたときは、上記の拡大縮小に関わらず、初期倍率に戻すようにしてもよい。
【００８８】
尚、上述した実施例では、第１の端末装置１０からのみ撮像画像を第２の端末装置２０へ送信したが、第２の端末装置２０において、撮像装置、撮像手順及び、送信手段、送信手順を備えることにより、第２の端末装置２０において行われる治療を第１の端末装置１０へ送信することも可能である。この様にすることにより、第２の端末装置２０において行われる指導医の模範治療を中継で、第１の端末装置１０において視聴することが可能となる。このような、指導医による治療行為の中継は、予め、第１の端末装置１０の医師にその予定を伝えることにより、一般医の視聴率も高まり、指導医が治療行為を行う病院へ赴かなくても、その治療行為を自己の診察室に居ながら見学することが可能となる。
【００８９】
上述した、模範治療の予定は、例えば、画面４００にお知らせ表示領域４４０を設け、第１の端末装置１０の電源投入時に、サーバコンピュータ３０へ接続し、お知らせが有ればそれを受信し、表示するようにすると、歯科医が意識しなくても、最新の模範治療中継情報を得ることが可能となる。お知らせは、中継情報だけでなく、指導医が指導を行えない時間の予定を知らせるようにしてもよい。
【００９０】
さらに、上記実施例では、第２の端末装置２０は、携帯可能なコンピュータ装置を例にして説明したが、映像を確認し、歯科医に対して、音声にて助言指導を行うことに限定すれば、携帯可能な端末装置は、映像の確認できる携帯電話であっても良い音声のみの指導であれば、映像の確認できない携帯電話であっても良い。
【００９１】
さらに、上記実施例では、第１の端末装置１０と第２の端末装置２０の間における情報の送受信は、サーバコンピュータ３０を介して行ったが、図１４の接続関係の説明図によるように、第１の端末装置１０と第２の端末装置２０は、インタネッ網により、接続が可能である。従って、サーバコンピュータ３０により、相互に相手方のアドレスを知ることにより、直接情報の送受信を行っても良い。
【００９２】
尚、上述した実施形態は、本発明の一例であって、これに限定されるものではなく、発明の本質に照らして、様々な変形例が考えられる。
【産業上の利用可能性】
【００９３】
本発明は、高度な医療技術を要する歯科診療を支援するシステムを提供するものである。
【図面の簡単な説明】
【００９４】
【図１】歯科診療支援システムのネットワークを介した接続関係の説明図。
【図２】第１の端末装置のハードウェアの接続ブロック図。
【図３】第２の端末装置のハードウェアの接続ブロック図。
【図４】歯科診療支援センターのサーバコンピュータのハードウェアの接続ブロック図。
【図５】第１の端末装置の処理手順を示したフローチャート。
【図６】第２の端末装置の処理手順を示したフローチャート。
【図７】歯科診療支援センターのサーバコンピュータの処理手順を示したフローチャート。
【図８】第１の端末装置、第２の端末装置における表示画像の制御の処理手順を示したフローチャート。
【図９】歯科診療支援センターのサーバコンピュータの歯科診療技術情報の更新の処理手順を示したフローチャート。
【図１０】第１の端末装置の歯科診療技術情報の更新の処理手順を示したフローチャート。
【図１１】本システム起動時の第１の端末装置における初期画面の説明図。
【図１２】本システムの第１の端末装置における歯科診療支援を受ける画面の説明図。
【図１３】本システムの第１の端末装置におけるヘルプ画面の説明図。
【図１４】本システムの他の実施例の歯科診療支援システムのネットワークを介した接続関係の説明図。
【符号の説明】
【００９５】
５…ローカルエリアネットワーク
７ａ、７ｂ、７ｃ…インタネット網
８…公衆回線
９…管理端末
１０Ａ、１０B 、１０C …第１の端末装置
１０Am、１０Bm、１０Cm、２0 Bm…マイク（音声入力手段）
１０As、１０Bs、１０Cs、２０As…スピーカ（音声出力手段）  
１０Ac、１０Bc、１０Cc…カメラ（撮像手段）
２０A …第２の端末装置
３０…歯科診療支援センターのサーバコンピュータ
１００、２００、３００…制御装置
１０１…歯科診療技術情報閲覧手段
１０２…第１の端末装置更新手段
１０３…第１の切り替え手段
１０４…第１の画像移動手段
１０５…第１の表示画像拡大縮小手段
１１０…第１の表示手段
１１１…第１の画像表示部
１１２…撮像画像表示部
１１６…歯科診療技術情報表示部
１１７…指導情報表示部
１２０…第１の受信手段
１２１…第１の音声受信部
１２２…第１の画像受信部
１２３…技術情報受信部
１２４…更新情報受信部
１３０…第１の送信手段
１３１…第１の画像送信部
１３２…第１の音声送信部
１４０…第１の記憶手段
１４１…歯科診療技術情報記憶部
１５０…第１の接続手段
２００…制御装置
２０１…画像選択手段
２０２…指示情報入力手段
２０３…指導情報入力手段
２０４…指導情報選択設定手段
２０５…第２の切り替え手段
２０６…第２の画像移動手段
２０７…第２の表示画像拡大縮小手段
２１０…第２の表示手段
２１１…第２の画像表示部
２１５…指導情報表示部
２２０…第２の受信手段
２２１…第２の音声受信部
２２２…第２の画像受信部
２３０…第２の送信手段
２３１…第２の画像送信部
２３２…第２の音声送信部
２３３…技術情報送信部
２４０…第２の記憶手段
２５０…第２の接続手段
３００…制御装置
３０１…更新蓄積手段
３０２…端末装置更新手段
３１０…サーバ表示手段
３２０…サーバ第１受信手段
３２１…第１技術情報受信部
３２５…サーバ第２受信手段
３２６…第２技術情報受信部
３３０…サーバ第１送信手段
３３１…第１技術情報送信部
３３５…サーバ第２送信手段
３３６…第２技術情報送信部
３４０…サーバ記憶手段
３４１…歯科診療技術情報記憶手段
３４２…最新情報記憶手段
３５０…サーバ第１接続手段
３５５…サーバ第２接続手段
４００…歯科診療支援システムの第１の端末装置における初期画面
５００…第１の端末装置における歯科診療支援を受ける画面
６００…第１の端末装置における歯科診療支援システムのヘルプ画面
【図１】
2005267115.tif 000003
【図２】
2005267115.tif 000004
【図３】
2005267115.tif 000005
【図４】
2005267115.tif 000006
【図５】
2005267115.tif 000007
【図６】
2005267115.tif 000008
【図７】
2005267115.tif 000009
【図８】
2005267115.tif 000010
【図９】
2005267115.tif 000011
【図１０】
2005267115.tif 000012
【図１１】
2005267115.tif 000013
【図１２】
2005267115.tif 000014
【図１３】
2005267115.tif 000015
【図１４】
2005267115.tif 000016
【手続補正書】
【提出日】平成17年5月23日(2005.5.23)
【手続補正１】
【補正対象書類名】特許請求の範囲
【補正対象項目名】全文
【補正方法】変更
【補正の内容】
【特許請求の範囲】
【請求項１】
複数の歯科医の第１の端末装置と、歯科診療支援センターのサーバコンピュータと、指導医の携帯可能な第２の端末装置がインタネットを含むネットワークを介して相互に接続され、接続されたそれぞれの端末を介して、歯科診療の支援を行う歯科診療支援システムにおいて、
前記歯科医の第１の端末装置は、
前記ネットワークを介して前記サーバコンピュータと接続する第１の接続手段と、
歯科医による歯科治療の画像を撮像する撮像手段と、
前記歯科医の音声を入力する第１の音声入力手段と、
前記ネットワークを介して前記撮像された歯科治療の画像を送信する第１の画像送信部と、前記入力された音声を送信する第１の音声送信部を有する第１の送信手段と、
前記ネットワークを介して音声を受信する第１の音声受信部と、画像を受信する第１の画像受信部を有する第１の受信手段と、
前記受信した音声を出力する第１の音声出力手段と、
前記撮像画像を表示する撮像画像表示部と、前記受信した画像を表示する第１の画像表示部を有する第１の表示手段とを有し、
前記指導医の第２の端末装置は、
前記ネットワークを介して前記サーバコンピュータと接続する第２の接続手段と、
前記ネットワークを介して前記サーバコンピュータから送信された１つ乃至複数の画像を受信する第２の画像受信部と、前記音声を受信する第２の音声受信部を有する第２の受信手段と、
前記受信した画像を１つ又は複数表示する第２の画像表示部を有する第２の表示手段と、
前記受信した音声を出力する第２の音声出力手段と、
前記複数表示された画像から優先し指示を与える画像を選択する画像選択手段と、
前記指導医の音声を前記選択された画像に対する音声として入力する第２の音声入力手段と、
前記選択した画像に対して指示を入力する指示情報入力手段と、
前記ネットワークを介して前記入力された指示情報を有する画像を送信する第２の画像送信部と、前記入力された音声を送信する第２の音声送信部を有する第２の送信手段とを有し、
前記サーバコンピュータは、
前記複数の一般の歯科医の第１の端末装置とネットワークを介して接続するサーバ第１接続手段と、
前記指導医の第２の端末装置と前記ネットワークを介して接続するサーバ第２接続手段と、
前記第１の端末装置から送信された画像と音声とを受信するサーバ第１受信手段と、
前記ネットワークに接続した指導医の第２の端末装置に前記受信した１つ乃至複数の画像と、指導医の第２の端末装置により選択された１台分の音声とを送信するサーバ第２送信手段と、
前記指導医の第２の端末装置から送信される画像または音声からなる指示情報を受信するサーバ第２受信手段と、該当する歯科医の第１の端末装置に前記指示情報を送信するサーバ第１送信手段を有し、
更に、
前記サーバコンピュータは、
専門の指導医による複数の模範治療映像、複数の技術文献、複数の治療マニュアルからなる歯科診療技術情報を記憶し蓄積する歯科診療技術情報記憶手段と、
専門の指導医による最新の複数の模範治療映像、最新の複数の技術文献、最新の複数の治療マニュアルからなる最新の歯科診療技術情報を記憶する最新情報記憶手段と、
所定の期間乃至は最新情報記憶手段に記憶された歯科診療技術情報が更新されたときは、更新前の歯科診療技術情報を歯科診療技術情報記憶手段に移動蓄積する更新蓄積手段とをさらに有し、
前記第１の端末装置は、
前記歯科診療技術情報記憶手段に記憶された前記歯科診療技術情報と同様の歯科診療技術情報を記憶する歯科診療技術情報記憶部を有する第１の記憶手段と、前記歯科診療技術情報を表示する歯科診療技術情報表示部をさらに有する前記第１の表示手段と、
前記サーバコンピュータに接続し、前記最新情報記憶手段に記憶された最新の歯科診療技術情報を閲覧する歯科診療技術情報閲覧手段をさらに有し、
更に、
前記第２の端末装置は、
前記第１の端末装置への指導情報として前記歯科診療技術情報記憶手段に記憶された歯科診療技術情報又は前記最新情報記憶手段に記憶された最新の歯科診療技術情報の中から、指導医により選択された情報を指導情報として選択設定する指導情報選択設定手段と、
前記指導情報を表示する指導情報表示部をさらに有する前記第２の表示手段と、
表示された前記指導情報に指示情報を入力する指導情報入力手段をさらに有する前記指示情報入力手段と、
前記指導情報を送信する技術情報送信部をさらに有する前記第２の送信手段とをさらに有し、
前記歯科医の第１の端末装置は、
前記指導情報を受信する技術情報受信部をさらに有する前記第１の受信手段と、
前記指導情報を表示する技術情報表示部をさらに有する前記第１の表示手段とをさらに有し、
前記サーバコンピュータは、
前記指導情報を受信する第２技術情報受信部をさらに有する前記サーバ第２受信手段と、
前記指導情報を送信する第１技術情報送信部をさらに有する前記サーバ第１送信手段とをさらに有する
ことを特徴とする歯科診療支援システム。
【請求項２】
前記サーバコンピュータは、
所定の期間毎乃至は前記歯科診療技術情報記憶手段が更新される毎に前記第１の端末装置の歯科診療技術情報記憶部を更新された前記歯科診療技術情報で更新する更新情報を送信する端末装置更新手段をさらに有し、
前記第１の端末装置は、
前記更新情報を受信する更新情報受信部をさらに有する前記第１の受信手段と、前記更新情報に従い更新された前記歯科診療技術情報により前記歯科診療記憶手段を更新する第１の端末装置更新手段をさらに有することを特徴とする請求項１に記載の歯科診療支援システム。
【請求項３】
前記画像は、視点ポイントを有し、
前記第１の端末装置は、
前記画像を任意の時点で停止状態である静止画像と、中継状態である動画に相互に切り替える第１の切り替え手段と、音声による指令により表示画像の視点ポイントの移動を行う第１の画像移動手段と、表示画像の拡大縮小を行う第１の表示画像拡大縮小手段をさらに有し、  
前記第２の端末装置は、
前記選択した画像に対して画像を任意の時点で停止状態である静止画像と、中継状態である動画に相互に切り替える第２の切り替え手段と、音声による指令により表示画像の視点ポイントの移動を行う第２の画像移動手段と、表示画像の拡大縮小を行う第２の表示画像拡大縮小手段をさらに有することを特徴とする請求項１又は請求項２に記載の歯科診療支援システム。
【請求項４】
請求項１に記載の歯科医の第１の端末装置に、
前記ネットワークを介してサーバコンピュータと接続する第１の接続手順と、
歯科医による歯科治療の画像を撮像する撮像手順と、
前記歯科医の音声を入力する第１の音声入力手順と、
前記ネットワークを介して前記撮像された歯科治療の画像を送信する第１の画像送信手順と、前記入力された音声を送信する第１の音声送信手順を有する第１の送信手順と、
前記ネットワークを介して前記音声を受信する第１の音声受信手順と、前記画像を受信する第１の画像受信手順を有する第１の受信手順と、
前記受信した音声を出力する第１の音声出力手順と、
前記撮像画像を表示する撮像画像表示手順と、前記受信した画像を表示する第１の画像表示手順を有する第１の表示手順と、
前記歯科診療技術情報記憶手段に記憶された前記歯科診療技術情報と同様の歯科診療技術情報を歯科診療技術情報記憶手段に記憶する歯科診療技術情報記憶手順を有する第１の記憶手順と、
前記歯科診療技術情報を表示する歯科診療技術情報表示手順をさらに有する前記第１の表示手順と、
前記サーバコンピュータに接続し、前記最新情報記憶手段に記憶された最新の歯科診療技術情報を閲覧する歯科診療技術情報閲覧手順と、
前記指導情報を受信する技術情報受信手順をさらに有する前記第１の受信手順と、
前記指導情報を表示する技術情報表示手順をさらに有する前記第１の表示手順と
を実行させるためのプログラム。
【請求項５】
請求項１に記載の前記指導医の第２の端末装置に、
前記ネットワークを介して前記サーバコンピュータと接続する第２の接続手順と、
前記ネットワークを介して前記サーバコンピュータから送信された１つ乃至複数の画像を受信する第２の画像受信手順と、前記音声を受信する第２の音声受信手順を有する第２の受信手順と、
前記受信した画像を１つ又は複数表示する第２の画像表示手順を有する第２の表示手順と、
前記受信した音声を出力する第２の音声出力手順と、
前記複数表示された画像から優先し指示を与える画像を選択する画像選択手順と、
前記指導医の音声を前記選択された画像に対する音声として入力する第２の音声入力手順と、
前記選択した画像に対して指示を入力する指示情報入力手順と、
前記ネットワークを介して前記入力された指示情報を有する画像を送信する第２の画像送信手順と、
前記入力された音声を送信する第２の音声送信手順とを有する第２の送信手順と、
前記第１の端末装置への指導情報として前記歯科診療技術情報記憶手段に記憶された歯科診療技術情報又は前記最新情報記憶手段に記憶された最新の歯科診療技術情報の中から、指導医により選択された情報を指導情報として選択設定する指導情報選択設定手順と、
前記指導情報を表示する指導情報表示手順をさらに有する前記第２の表示手順と、
表示された前記指導情報に指示情報を入力する入力手順をさらに有する前記指示情報入力手順と、
前記指導情報を送信する技術情報送信手順をさらに有する前記第２の送信手順と
を実行させるためのプログラム。
【請求項６】
請求項１に記載の前記サーバコンピュータに、
前記複数の一般の歯科医の第１の端末装置とネットワークを介して接続するサーバ第１接続手順と、
前記指導医の第２の端末装置と前記ネットワークを介して接続するサーバ第２接続手順と、
前記第１の端末装置から送信された画像と音声とを受信するサーバ第１受信手順と、
前記ネットワークに接続した指導医の第２の端末装置に前記受信した１つ乃至複数の画像と、指導医の第２の端末装置により選択された１台分の音声とを送信するサーバ第２送信手順と、
前記指導医の第２の端末装置から送信される画像または音声からなる指示情報を受信するサーバ第２受信手順と、該当する歯科医の第１の端末装置に前記指示情報を送信するサーバ第１送信手順と、
専門の指導医による複数の模範治療映像、複数の技術文献、複数の治療マニュアルからなる歯科診療技術情報を歯科診療技術情報記憶手段に記憶し蓄積する歯科診療技術情報記憶手順と、
専門の指導医による最新の複数の模範治療映像、最新の複数の技術文献、最新の複数の治療マニュアルからなる最新の歯科診療技術情報を最新情報記憶手段に記憶する最新情報記憶手順と、
所定の期間乃至は第２の記憶装置に記憶された歯科診療技術情が更新されたときは、更新前の歯科診療技術情報を情報更新手順に従い歯科診療技術情報記憶手段に移動蓄積する更新蓄積手順と、
前記指導情報を受信する第２の技術情報受信手順をさらに有する前記サーバ第２受信手順と、
前記指導情報を送信する第１の技術情報送信手順をさらに有する前記サーバ第１送信手順と
を実行させるためのプログラム。
【請求項７】
前記サーバコンピュータに、更に、
所定の期間毎乃至は前記歯科診療技術情報記憶手段が更新される毎に前記第１の端末装置の歯科診療技術情報記憶部を更新された前記歯科診療技術情報で更新する更新情報を送信する端末装置更新手順を実行させるための請求項６に記載のプログラム。
【請求項８】
前記第１の端末装置に、更に、
前記更新情報を受信する更新情報受信手順をさらに有する前記第１の受信手順と、
前記更新情報に従い更新された前記歯科診療技術情報により前記歯科診療技術情報記憶部を更新する第１の端末装置更新手順を実行させるための請求項４に記載のプログラム。
【請求項９】
前記第１の端末装置に、更に、
前記画像を任意の時点で停止状態である静止画像と、中継状態である動画に相互に切り替える第１の切り替え手順と、
前記画像に対し視点ポイントを定義する手順と、
音声による指令により表示画像の視点ポイントの移動を行う第１の画像移動手順と、
表示画像の拡大縮小を行う第１の表示画像拡大縮小手順を実行させるための請求項４又は８に記載のプログラム。
【請求項１０】
前記第２の端末装置に、更に、
前記選択した画像に対して画像を任意の時点で停止状態である静止画像と、中継状態である動画に相互に切り替える第２の切り替え手順と、
前記画像に対し視点ポイントを定義する手順と、
音声による指令により表示画像の視点ポイントの移動を行う第２の画像移動手順と、
表示画像の拡大縮小を行う第２の表示画像拡大縮小手順を実行させるための請求項５に記載のプログラム。
【手続補正２】
【補正対象書類名】明細書
【補正対象項目名】全文
【補正方法】変更
【補正の内容】
【発明の詳細な説明】
【技術分野】
【０００１】
本発明は、歯科医の治療現場において、高度な医療技術を要する治療行為に対して、一般の歯科医の端末装置と、高度な専門技術を有するを専門医の携帯可能な端末装置とをインタネットを含むネットワークを介して接続し、それぞれの端末装置を用いて一般の歯科医の診療支援を行うシステム、装置及びそのためのプログラムに関する。
【背景技術】
【０００２】
歯科治療の医療現場において、多くの患者から、インプラント、成人歯列矯正などの高度な専門技術を要する治療が求められている。このような高度な専門技術を要する治療を行うには、高度な専門技術を有する医師が必要である。しかしなから、このような高度な専門技術を有する専門医は少数であるのが現実である。従って、一般の歯科医においても、このような高度な専門技術の取得が不可欠である。このような専門技術の取得には、専門技術を有する歯科医による指導が不可欠である。しかし、一般の歯科医が診療を行いながら高度な専門技術を有する歯科医の指導を受けるには、一般の歯科医の診療現場に指導医が出向く、又は、指導医の診療現場に一般の歯科医が出向く必要があり、なかなか困難である。さらに、一般医が指導を受けるために、専門医が実際診療、治療を行っている現場を訪れたとしても、そのとき専門医が行っている治療を学習することしかできない。つまり、違う種類の治療方法は、又、別の機会に指導を受けなければばならない。又、治療を実際に見学しても、それは一過性である為、きちんと理解するためには、繰り返し学習する必要がある。さらに、自身が治療を行う際に、専門医の指導を受けることが不可欠である。しかし、一般の診療を行っている医師が、技術の習得ができる様になるまで、自己の診察に際して、専門医の指導を繰り返し受けることは、極めて困難である。
【０００３】
さらに、専門医が、指導のために、一般医のもとに出向く場合は、出向く先の医師の指導しかできない為、技術の習得希望の医師が増えれば増えるほど、専門医による指導は困難になる。
【０００４】
一方、治療を受ける患者の側においても、高度な専門技術を要する治療を受けるためには、専門医の居る病院、診療所等に赴く必要がある。このような高度な専門技術を有する専門医は、数も少なくその診療機会を得ることは困難である。又、歯科治療は、１回の診察治療で終了することは少なく、複数回の診察治療が必要である。従って、患者の側からしても、遠くの専門医の所に複数回訪れる事は非常に困難である。そのため、近くの医師の元で、高度な専門医療が受けられることが望まれる。
【特許文献１】特開２００２−２４５１８３号公報
【特許文献２】特開平９−１１７４１７号公報
【発明の開示】
【発明が解決しようとする課題】
【０００５】
解決しようとする問題点は、一般の歯科医の立場からは、自身の医院において、診察、治療業務を行いながら、高度な専門技術の取得をすることである。そのためには、文献、映像等を用いて、自ら繰り返し学習することは勿論であるが、確実な技術の取得のためには、高度な専門技術を有する指導医の指導を繰り返し受けることが必要である。従って、本発明では、高度な専門技術を有する専門医の指導を容易に受けることができる装置、プログラム、システムを得ることである。一方、指導医の立場からは、一般医のもとに出向くことなく、繰り返し指導を行うことをできるようにすること。かつ、一度に複数の一般医の指導を個々の診察、治療実態に即して指導を行うことをできるようにすること。さらに、自身がどこに居ても、指導の希望に応じて、一般医の指導を行うことができるようにする装置、プログラム、システムを得ることである。
【課題を解決するための手段】
【０００６】
請求項１の発明の歯科診療支援システムは、複数の歯科医の第１の端末装置と、歯科診療支援センターのサーバコンピュータと、指導医の携帯可能な第２の端末装置がインタネットを含むネットワークを介して相互に接続され、接続されたそれぞれの端末を介して、相互に、音声、画像の交信交換を行い歯科診療の支援を行う。そのために、歯科医の第１の端末装置は、第１の接続手段により、ネットワークを介してサーバコンピュータと接続され、歯科医による歯科治療の画像を撮像手段により撮像し、第１の音声入力手段により歯科医の音声を入力し、さらに、撮像された歯科治療の画像を第１の画像送信部により、入力された音声を第１の音声送信部によりネットワークを介して第１の送信手段により指導医の第２の端末装置に状況を伝えるために送信する。一方、ネットワークから、指導医の音声、画像による指導を受信するために、第１の音声受信部により音声を受信し、第１の画像受信部により画像を受信する第１の受信手段と、受信した音声を出力する第１の音声出力手段と、撮像画像表示部により撮像画像を、受信した画像を第１の画像表示部により表示する第１の表示手段とを有するようにした。
【０００７】
一方、指導医の第２の端末装置は、ネットワークを介してサーバコンピュータと第２の接続手段により接続し、第２の受信手段の第２の画像受信部によりネットワークを介してサーバコンピュータから送信された１つ乃至複数の画像を受信し、第２の受信手段の第２の音声受信部により音声を受信する。さらに、第２の表示手段の第２の画像表示部により、１つ又は複数の受信した画像を表示する。同時に、第２の音声出力手段により、受信した音声を出力。又、画像選択手段により、複数表示された画像から優先し指示を与える画像を選択し、第２の音声入力手段により入力される指導医の音声を、選択された画像に対する音声として入力する。さらに、指示情報入力手段により入力される指示情報を選択した画像に対してに指示入力とする。指示情報の入力された画像は第２の送信手段の第２の画像送信部により、音声は、第２の音声送信部によりネットワークを介して選択された画像の第１の端末装置へ送信される。
【０００８】
さらに、サーバコンピュータは、サーバ第１接続手段により複数の一般の歯科医の第１の端末装置とネットワークを介して接続し、サーバ第２接続手段により指導医の第２の端末装置とネットワークを介して接続する。さらに、サーバ第１受信手段により、第１の端末装置から送信された画像と音声とを受信し、サーバ第２送信手段により、ネットワークに接続した指導医の第２の端末装置に受信した１つ乃至複数の画像と、指導医の第２の端末装置により選択された１台分の音声とを送信する。一方、サーバ第２受信手段により、指導医の第２の端末装置から送信される画像または音声からなる指示情報を受信し、サーバ第１送信手段により該当する歯科医の第１の端末装置に指示情報を送信する。このように、請求項１の発明は、上述した第１の端末装置、第２の端末装置、サーバコンピュータにより、歯科診療支援システムを構成することを特徴とする。
【０００９】
更に、サーバコンピュータの歯科診療技術情報記憶手段に、専門の指導医による複数の模範治療映像、複数の技術文献、複数の治療マニュアルからなる歯科診療技術情報を記憶し蓄積する。さらに、最新情報記憶手段に専門の指導医による最新の複数の模範治療映像、最新の複数の技術文献、最新の複数の治療マニュアルからなる最新の歯科診療技術情報を記憶する。さらに、更新蓄積手段は、所定の期間乃至は最新情報記憶手段に記憶された歯科診療技術情報が更新されたときは、更新前の歯科診療技術情報を歯科診療技術情報記憶手段に移動蓄積する。さらに、第１の端末装置は、第１の記憶手段の歯科診療技術情報記憶部に歯科診療技術情報記憶手段に記憶された歯科診療技術情報と同様の歯科診療技術情報を記憶する。さらに、第１の表示手段の歯科診療技術情報表示部により、歯科診療技術情報を表示する。さらに、サーバコンピュータに接続し、歯科診療技術情報閲覧手段により最新情報記憶手段に記憶された最新の歯科診療技術情報を閲覧することを特徴とする。
【００１０】
更に、第２の端末装置の指導情報選択設定手段により、第１の端末装置への指導情報として歯科診療技術情報記憶手段に記憶された歯科診療技術情報又は最新情報記憶手段に記憶された最新の歯科診療技術情報の中から、指導に必要な情報を指導情報として選択設定し、第２の表示手段の指導情報表示部により、選択した指導情報を表示する。さらに、指示情報入力手段の指導情報入力手段により、表示された指導情報に入力された情報を指示情報として入力する。さらに、第２の送信手段の技術情報送信部により、指導情報をネットワークを介して第１の端末装置へ送信する。一方、歯科医の第１の端末装置は、第１の受信手段の技術情報受信部により送信された指導情報を受信し、受信した指導情報を第１の表示手段の技術情報表示部により表示する。さらに、サーバコンピュータは、サーバ第２受信手段の第２技術情報受信部により、指導情報を受信し、サーバ第１送信手段の第１技術情報送信部により指導情報を送信することを特徴とする。
【００１１】
請求項２の発明による歯科診療支援システムは、サーバコンピュータの端末装置更新手段により、所定の期間毎乃至は歯科診療技術情報記憶手段が更新される毎に第１の端末装置の歯科診療技術情報記憶部を更新された歯科診療技術情報で更新する更新情報を送信し、第１の端末装置の第１の端末装置更新手段は、第１の受信手段の更新情報受信部により受信した更新情報に従い更新された歯科診療技術情報により歯科診療記憶手段を更新することを特徴とする。
【００１２】
請求項３の発明による歯科診療支援システムは、画像は、視点ポイントを有し、第１の端末装置の撮像画像表示手段により表示された画像は、第１の切り替え手段により、任意の時点で停止状態である静止画像と、中継状態である動画に相互に切り替えられ、第１の画像移動手段により、音声による指令により表示画像の視点ポイントの移動が行われ、さらに、第１の表示画像拡大縮小手段により、表示画像の拡大縮小が行われる。第２の端末装置の第２の画像表示手段により表示された画像のうち選択された画像は、第２の切り替え手段により、画像を任意の時点で停止状態である静止画像と、中継状態である動画に相互に切り替えられ、第２の画像移動手段により、音声による指令により表示画像の視点ポイントの移動が行われる。さらに、第２の表示画像拡大縮小手段により、選択された表示画像の拡大縮小が請求項１のシステムに対してさらに行われることを特徴とする。
【００１３】
ここで、視点ポイントについて説明する。視点ポイントは、初期画像に対して内部的に表示位置を決定する起点位置である。以後、この位置を起点に、画像の表示位置を決定する。その起点位置を、例えば画像上の中心に表示することにより、画像を見ている指導医、指導を受ける医師が、自己の希望の画像位置を得るマーカーとするものである。例えば、視点ポイントとして、初期位置は表示した画像の中心位置を与え、以後は、積算による相対位置、初期値に対する絶対値等の位置を内部的に把握し、画像上にも表示する。又、表示画像の切り替えに伴い、リセットする。
【００１４】
請求項４の発明は、請求項１に記載の歯科診療支援システムの歯科医の第１の端末装置に、ネットワークを介してサーバコンピュータと接続する第１の接続手順と、第１の端末装置の歯科医による歯科治療の画像を撮像する撮像手順と、第１の端末装置の歯科医の音声を入力する第１の音声入力手順と、ネットワークを介して撮像された歯科治療の画像を送信する第１の画像送信手順と、入力された音声を送信する第１の音声送信手順を有する第１の送信手順と、ネットワークを介して音声を受信する第１の音声受信手順と、画像を受信する第１の画像受信手順を有する第１の受信手順と、受信した音声を出力する第１の音声出力手順と、撮像画像を表示する撮像画像表示手順と、受信した画像を表示する第１の画像表示手順を有する第１の表示手順とを実行させるためのプログラムである。
【００１５】
更に、歯科診療技術情報記憶手段に記憶された歯科診療技術情報と同様の歯科診療技術情報を歯科診療技術情報記憶手段に記憶する歯科診療技術情報記憶手順を有する第１の記憶手順と、歯科診療技術情報を表示する歯科診療技術情報表示手順をさらに有する第１の表示手順と、サーバコンピュータに接続し、最新情報記憶手段に記憶された最新の歯科診療技術情報を閲覧する歯科診療技術情報閲覧手順を第１の端末装置に実行させる。
【００１６】
更に、指導情報を受信する技術情報受信手順をさらに有する第１の受信手順と、指導情報を表示する技術情報表示手順をさらに有する第１の表示手順とを第１の端末装置に実行させる。
【００１７】
請求項５の発明は、請求項１に記載の歯科診療支援システムの指導医の第２の端末装置に、ネットワークを介してサーバコンピュータと接続する第２の接続手順と、ネットワークを介してサーバコンピュータから送信された１つ乃至複数の画像を受信する第２の画像受信手順と、音声を受信する第２の音声受信手順を有する第２の受信手順と、受信した画像を１つ又は複数表示する第２の画像表示手順を有する第２の表示手順と、受信した音声を出力する第２の音声出力手順と、複数表示された画像から優先し指示を与える画像を選択する画像選択手順と、指導医の音声を選択された画像に対する音声として入力する第２の音声入力手順と、選択した画像に対して指示を入力する指示情報入力手順と、ネットワークを介して入力された指示情報を有する画像を選択した画像の第１の端末装置へ送信する第２の画像送信手順と、入力された音声を送信する第２の音声送信手順を有する第２の送信手順とを実行させるためのプロクラムである。
【００１８】
更に、第１の端末装置への指導情報として歯科診療技術情報記憶手段に記憶された歯科診療技術情報又は最新情報記憶手段に記憶された最新の歯科診療技術情報の中から、指導医により選択された情報を指導情報として選択設定する指導情報選択設定手順と、指導情報を表示する指導情報表示手順をさらに有する第２の表示手順と、表示された指導情報に指示情報を入力する入力手順をさらに有する指示情報入力手順と、指導情報を送信する技術情報送信手順をさらに有する第２の送信手順とを第２の端末装置に実行させる。
【００１９】
請求項６の発明は、請求項１に記載の歯科診療支援システムの歯科診療支援センターのサーバコンピュータに、複数の一般の歯科医の第１の端末装置とネットワークを介して接続するサーバ第１接続手順と、指導医の第２の端末装置とネットワークを介して接続するサーバ第２接続手順と、第１の端末装置から送信された画像と音声とを受信するサーバ第１受信手順と、ネットワークに接続した指導医の第２の端末装置に受信した１つ乃至複数の画像と、指導医の第２の端末装置により選択された１台分の音声とを送信するサーバ第２送信手順と、指導医の第２の端末装置から送信される画像または音声からなる指示情報を受信するサーバ第２受信手順と、該当する歯科医の第１の端末装置に指示情報を送信するサーバ第１送信手順とを実行させるためのプログラムである。
【００２０】
更に、専門の指導医による複数の模範治療映像、複数の技術文献、複数の治療マニュアルからなる歯科診療技術情報を歯科診療技術情報記憶手段に記憶し蓄積する歯科診療技術情報記憶手順と、専門の指導医による最新の複数の模範治療映像、最新の複数の技術文献、最新の複数の治療マニュアルからなる最新の歯科診療技術情報を最新情報記憶手段に記憶する最新情報記憶手順と、所定の期間乃至は第２の記憶装置に記憶された歯科診療技術情が更新されたときは、更新前の歯科診療技術情報を情報更新手順に従い歯科診療技術情報記憶手段に移動蓄積する更新蓄積手順とをサーバコンピュータに実行させる。
【００２１】
更に、指導情報を受信する第２の技術情報受信手順をさらに有するサーバ第２受信手順と、指導情報を送信する第１の技術情報送信手順をさらに有するサーバ第１送信手順とをサーバコンピュータに実行させる。
【００２２】
請求項７の発明は、請求項６に記載のプログラムにおいて、所定の期間毎乃至は歯科診療技術情報記憶手段が更新される毎に第１の端末装置の歯科診療技術情報記憶部を更新された歯科診療技術情報で更新する更新情報を送信する端末装置更新手順をサーバコンピュータにさらに実行させる。
【００２３】
請求項８の発明は、請求項４に記載のプログラムにおいて、更新情報を受信する更新情報受信手順をさらに有する第１の受信手順と、更新情報に従い更新された歯科診療技術情報により歯科診療技術情報記憶部を更新する第１の端末装置更新手順を第１の端末装置にさらに実行させる。
【００２４】
請求項９の発明は、請求項４又は８に記載のプログラムにおいて、画像を任意の時点で停止状態である静止画像と、中継状態である動画に相互に切り替える第１の切り替え手順と、画像に対し視点ポイントを定義する手順と、音声による指令により表示画像の視点ポイントの移動を行う第１の画像移動手順と、表示画像の拡大縮小を行う第１の表示画像拡大縮小手順をさらに第１の端末装置に実行させる。
【００２５】
請求項１０の発明は、請求項５に記載のプログラムにおいて、選択した画像に対して画像を任意の時点で停止状態である静止画像と、中継状態である動画に相互に切り替える第２の切り替え手順と、画像に対し視点ポイントを定義する手順と、音声による指令により表示画像の視点ポイントの移動を行う第２の画像移動手順と、表示画像の拡大縮小を行う第２の表示画像拡大縮小手順をさらに第２の端末装置に実行させる。
【００２６】
なお、上述したある１つの発明が、上記した全ての目的を同時に達成するものと解されるべきではなく、個々の発明が、それぞれの目的を達成するものと解されるべきである。
【発明の効果】
【００２７】
以下の発明の効果の項においては、歯科診療支援システムを項制するそれぞれの装置に、対応するプログラムをインストールして用いることにより、それぞれの発明の効果を有するようになり、重複する記述も避けることができる。従って、歯科診療支援システムを構成する装置に対応するプログラムをインストールして発明の効果を説明する。
【００２８】
請求項１の発明による歯科診療支援システムを構成するのは、請求項４の発明によるプログラムがインストールされた複数の歯科医の第１の端末装置と、請求項６の発明によるプログラムがインストールされたサーバコンピュータと、請求項５の発明によるプログラムがインストールされた指導医の携帯可能な第２の端末装置である。
【００２９】
先ず、歯科医の第１の端末装置は、第１の接続手段において、第１の接続手順によりネットワークを介してサーバコンピュータと接続されるようになる。一方、指導医の第２の端末装置は、第２の接続手段と、第２の接続手順により、ネットワークを介してサーバコンピュータと接続されるようになる。
【００３０】
次に、第１の端末装置においては、歯科医による歯科治療の画像を撮像手段において撮像手順により撮像し、表示手段の撮像画像表示部において、撮像画像表示手順により、撮像画像を表示できるようになる。さらに、歯科医の音声が第１の音声入力手段と第１の音声入力手順により入力されるようになり、撮像された画像は、ネットワークを介して第１の画像送信部と第１の画像送信手順により、入力された音声は、第１の音声送信部と第１の音声送信手順によりサーバコンピュータに送信される。一方、第２の端末装置は、第２の受信手段の第２の画像受信部において、第２の受信手順の第２の画像受信順により、ネットワークを介してサーバコンピュータから送信された１つ乃至複数の画像を受信する。同時に、第２の音声受信部において、第２の音声受信手順により、音声を受信する。次に、第２の表示手段の第２の画像表示部において、第２の表示部手順と第２の画像表示手順に従い、受信した画像を１つ又は複数表示する。さらに、第２の音声出力手段において、第２の音声出力手順により受信した音声が出力される。これにより、指導、助言を求める歯科医からの画像と音声が、指導医の第２の端末装置に出力されるようになる。さらに、複数表示された画像に対して、画像選択手段と、画像選択手順により、指導医が交信をすると判断した画像を選択する。これにより、複数表示されている画像の中から、指導医が音声による交信をする相手の一般医の第１の端末装置を選択することができるようになる。つまり、選択した画像の第１の端末装置の音声を自己の第２の端末装置の第２の音声出力手段を介して出力することができるようになる。指導医の音声も、第２の音声入力手段により選択した画像の第１の端末装置に対しての音声入力となり、第２の音声送信部と第２の音声送信手順により選択された画像の第１の端末装置の送信される。第１の端末装置では、第１の受信手段の音声受信部と第１の受信手順の音声受信手順により受信された音声が出力されるようになる。つまり、選択した画像の第１の端末装置と、音声での交信ができるようになると同時に、指示情報入力手段と、指示情報入力手順により入力する指示情報を選択した画像に対して入力することができるようになる。さらに、指示情報を入力した画像は、第２の画像送信部と第２の画像送信手順により送信され、第１の端末装置では、第１の画像受信部と第１の画像受信手順により画像が受信され、第１の画像表示部に第１の画像表示手順により表示されるようになる。これにより、第１の端末装置においては、第２の端末装置から送信された指導情報が受信され、画像として表示され、音声が出力されるようになる。ここでの、画像の選択は、例えば、マウスで、該当する画像をクリックすることである。従って、最後にクリックされた画像が、選択されている状態の画像となり、音声は、選択されている画像の第１の端末装置への音声の出力であり、入力である。
【００３１】
サーバコンピュータは、複数の一般の歯科医の第１の端末装置とネットワークを介して接続するサーバ第１接続手段と、指導医の第２の端末装置とネットワークを介して接続するサーバ第２接続手段と、第１の端末装置から送信された画像と音声とを受信するサーバ第１受信手段と、ネットワークに接続した指導医の第２の端末装置に受信した１つ乃至複数の画像と、指導医の第２の端末装置により選択された１台分の音声とを送信するサーバ第２送信手段と、指導医の第２の端末装置から送信される画像または音声からなる指示情報を受信するサーバ第２受信手段と、該当する歯科医の第１の端末装置に指示情報を送信するサーバ第１送信手段を有するように構成したので、上述した第１の端末装置と、第２の端末装置をネットワークを介して接続し、相互に情報の交信を行うことができるように接続することができるようになる。これにより、第１の端末装置と、第２の端末装置がそれぞれネットワークに接続できる環境に有れば、どこに指導を受けたい歯科医が居ても、又、指導をする指導医がどこに居ても、指導を受けることが可能となり、指導をすることが可能となる。例えば、ネットワークへの接続を、携帯電話の回線の利用によることにすると、携帯電話の接続エリア内であれば、どこに居ても、第２の端末装置は、ネットワークに接続することが可能となる。他にも、公共のLAN システムを利用できる地域内であれば、それを利用しても良い。又、第２の端末装置においては、同時に複数の第１の端末装置と接続し、それぞれの診察治療の状況を撮像した画像を受信できるようにしたので、常に、複数の指導を受けたい歯科医の状況を画像を介して把握することが可能となる。
【００３２】
さらに、歯科診療技術情報記憶手段には、歯科診療技術情報記憶手順により専門の指導医による複数の模範治療映像、複数の技術文献、複数の治療マニュアルからなる歯科診療技術情報を記憶し蓄積できるようになり、最新情報記憶手段には、最新情報記憶手順により、専門の指導医による最新の複数の模範治療映像、最新の複数の技術文献、最新の複数の治療マニュアルからなる最新の歯科診療技術情報を記憶できるようになる。さらに、更新蓄積手段における、更新蓄積手順により所定の期間乃至は最新情報記憶手段に記憶された歯科診療技術情報が更新されたときは、更新前の歯科診療技術情報を歯科診療技術情報記憶手段に移動蓄積することができるようになる。さらに、第１の端末装置において、第１の記憶手段の歯科診療技術情報記憶部に歯科診療技術情報記憶手段に記憶された歯科診療技術情報と同様の歯科診療技術情報を歯科診療記憶手順により記憶することができるようになり、第１の表示手段の歯科診療技術情報表示部に歯科診療技術情報表示手順により歯科診療技術情報を表示することができるようになる。これにより、専門医による模範治療映像、技術文献、治療マニュアル等を自己の第１の端末装置において見ることができるようになり、自己の診療所において、繰り返し、模範治療映像を見ることが可能となり、さらに、技術文献、治療マニュアル等も繰り返し、見ることができるようになる。一方、歯科診療技術情報閲覧手段により、歯科診療技術情報閲覧手順に従いサーバコンピュータに接続し、最新情報記憶手段に記憶された最新の歯科診療技術情報を閲覧することができるようになり、専門の指導医による最新の模範治療映像、最新の技術文献、最新の治療マニュアル等の最新の情報を簡単に繰り返し閲覧することができるようになる。
【００３３】
さらに、第２の端末装置においては、指導情報選択設定手段において、指導情報選択設定手順により、第１の端末装置への指導情報として歯科診療技術情報記憶手段に記憶された歯科診療技術情報又は最新情報記憶手段に記憶された最新の歯科診療技術情報の中から、指導医により選択された情報を指導情報として選択設定することができるようになり、第２の表示手段の指導情報表示部及び、第２の表示手順の指導情報表示手順により選択した歯科診療技術情報を指導情報として表示することができるようになる。さらに、指示情報入力手段の指導情報入力手段及び、指示情報入力手順の指導情報入力手順により表示された指導情報に指示情報を入力することができるようになる。指示情報が入力された指導情報は、第２の送信手段の技術情報送信部において、第２の送信手順の技術情報送信手順により送信されるようになる。一方、歯科医の第１の端末装置において、第１の受信手段の技術情報受信部において、第１の受信手順の技術情報受手順により、指導情報を受信することができるようになる。さらに、第１の表示手段の技術情報表示部において、第１の表示手順の技術情報表示手順により指導情報を表示することができるようになる。
【００３４】
一方、サーバコンピュータは、サーバ第２受信手段の第２技術情報受信部において、サーバ第２受信手順の第２技術情報受信手順により、指導情報を受信することができるようになる。さらに、サーバ第１送信手段の第１技術情報送信部においてサーバ第１送信手順の第１技術情報送信手順により、第１の端末装置へ指導情報を送信することができるようになる。これらにより、第２の端末装置において、指示された指導情報を第１の端末装置に送信することができるようになる。
【００３５】
さらに、請求項２の発明による歯科診療支援システムにおいては、サーバコンピュータには、請求項７のプログラムを、第１の端末装置には、請求項８のプログラムをインストールして用いることにより、サーバコンピュータの端末装置更新手段及び、端末装置更新手順により所定の期間毎乃至は歯科診療技術情報記憶手段が更新される毎に第１の端末装置の歯科診療技術情報記憶部を更新された歯科診療技術情報で更新する更新情報を送信することができるようになる。さらに、第１の端末装置においては、第１の受信手段の更新情報受信部において、第１の受信手順の更新情報受信手順により、更新情報を受信することができるようになる。さらに、第１の端末装置更新手段において、第１の端末装置更新手順により、更新情報に従い更新された歯科診療技術情報により歯科診療記憶手段を更新することができるようになる。
【００３６】
さらに、請求項３の発明の歯科診療支援システムにおいては、第１の端末装置に請求項９のプログラムを、第２の端末装置には請求項１０のプログラムをインストールして用いることにより、画像は、視点ポイントを有することができるようになる。さらに、第１の端末装置は、第１の切り替え手段において、第１の切り替え手順を有するようにしたので、画像を任意の時点で停止状態である静止画像と、中継状態である動画に相互に切り替えることができるようになる。これにより、治療を行っている歯科医が、助言指導を得たいと希望する場面で画像を一旦停止させ、第２の端末装置の指導医に対して、質問、助言を求めることができるようになる。さらに、第１の画像移動手段において第１の画像移動手順により音声による指令により表示画像の視点ポイントの移動を行い、第１の表示画像拡大縮小手段において、第１の表示画像拡大縮小手順により表示画像の拡大縮小を行うことができるようになるので、指導を求める医師は、音声により、例えば、「右、上」、「拡大」などの指示語により、画像の表示部分をコントロールすることができるようになり、指導医に対して、どの部分かをより明確に伝えることができるようになる。さらに、音声による指示が可能となるので、治療中の手を止めて、第１の端末装置の操作をしなくても自己の希望する画像を指導医に送信することができるようになる。
【００３７】
一方、第２の端末装置においては、第２の切り替え手段における第２の切り替え手順により、選択した画像に対して画像を任意の時点で停止状態である静止画像と、中継状態である動画に相互に切り替えることができるようになる。さらに、第２の画像移動手段と第２の画像移動手順により音声による指令により表示画像の視点ポイントの移動を、第２の表示画像拡大縮小手段により表示画像の拡大縮小を行うことができるようになる。これにより、指導医の第２の端末装置からも、第１の端末装置から送信された撮像画像について、任意の時点で、中継状態である動画と、停止状態である静止画を切り替えることができるようになる。これにより、指導情報を入力する際に、停止した状態で、指導を行うことができるようになるので、より正確に指導内容が伝えることができるようになる。又、画像の表示位置、拡大、縮小を音声により指示できるようになるので、表示画像のコントロールを円滑に行うことができるようになる。
【００３８】
さらに、上述した発明を統合的に用いることにより、以下の効果が得られる。
【００３９】
歯科医は、自己の診療所で、最新の治療方法を学習することができるようになり、又、指導を受けることができるようになる。自己の治療状況を撮像し、録画し、それを指導医に検討してもらい、指導を受けることにより、一過性の指導でなく、自己の治療を振り返り、さらに、患者さんの治療結果を比較して、学習することができるので、より早い上達を期待することが可能である。又、指導医においても、例えば、治療の途中では、時間が掛かり、指導できない内容でも、録画であれば、画像を一旦止めて、歯科医に対して十分な時間を用いて指導することが可能となる。又、実際の治療を行った画像を用いて指導することにより、より明確に歯科医に対して、どのような治療を行ったらよいか指導することが可能となる。さらに、この録画、指導が、歯科医の診療所、指導医の研究室などにおいて行うことができるので、双方共に、時間の拘束などが最小限で済み、より多くの時間を指導をし、される時間に充てることが可能となる。
【００４０】
さらに、模範の治療映像も見ることができるため、自己の治療映像と比較し、指導を受けることにより、より明確に、早く、最新の高度な専門技術を習得することが可能となす。
【００４１】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００４２】
以下、本発明の歯科診療支援システムについて図面を参照して説明する。図１は、歯科診療支援システムのネットワークを介した接続関係を示した図である。
【００４３】
第１の端末装置１０A 、１０B 、１０C は、一般の歯科医の診療所の診察室、手術室などに設置されている。第１の端末装置１０A は、例えば、公衆回線８、歯科医の加入しているインタネットサービスプロバイダを含むインタネット網７b 、７ｃを介して、歯科診療支援センターのサーバコンピュータ３０（以下、サーバコンピュータ３０と記述する）と接続する。一方、第２の端末装置２０は、携帯可能な指導医の端末装置である。第２の端末装置２０は、携帯電話回線を含む公衆回線８又は公共無線ＬＡＮと、指導医の加入しているインタネットサービスプロバイダを含むインタネット網７a を介して、サーバコンピュータ３０と接続する。サーバコンピュータ３０は、第１の端末装置１０と、第２の端末装置２０が相互に情報交換可能に接続する。第１の端末装置１０、第２の端末装置２０に関する情報は、予め、管理端末９からローカルエリアネットワーク５（以下ＬＡＮ５と記述する）、ワイドエリアネットワーク（以下ＷＡＮと記述する）などを介してサーバコンピュータ３０に登録されている。
【００４４】
さらに、第１の端末装置１０、第２の端末装置２０、サーバコンピュータ３０には、それぞれ対応する上述した本発明によるプログラムがインストールされている。
【００４５】
次に、図２は、第１の端末装置のハードウェアの接続ブロック図である。
【００４６】
第１の端末装置１０A の物理的なハードウエア構成としては、周知のパーソナルコンピュータに対し、第１の音声入力手段１０m としてのマイク１０Ａｍ、第１の音声出力手段１０ｓとしてのスピーカ１０Ａｓ、撮像手段１０c としてのカメラ１０Ａｃ、インタネットを含むネットワークへの接続装置としての第１の接続手段を構成するモデム、ターミナルアダプタ等の周辺機器を備えたコンピュータシステムにより具現されている。
【００４７】
本発明の第１の端末装置１０は、CCD カメラ及び周辺機器からなる撮像手段１０c 、マイクロフォンおよび周辺機器からなる第１の音声入力手段１０m 、スピーカ及び周辺機器からなる第１の音声出力手段を備え、ハードディスク、ＭＯ、ＤＶＤ等の外部記憶装置及びその周辺機器からなる第１の記憶手段１４０と、ディスプレイ等のモニタ装置及びその周辺機器からなる第１の表示手段１１０と、データの受信に関わるファームウェア及び周辺機器からなる第１の受信手段１２０と、データ送信に関わるファームウェア及び周辺機器からなる第１の送信手段１３０と、これらを制御し、第１の端末装置１０において必要とされる機能を実現するための処理プログラムを実行するＣＰＵを備えた制御装置１００により構成される。さらに、必要に応じて、キーボード、マウス等の入力装置、及び入力ボタン等も備えている。
【００４８】
本発明にかかる第１の端末装置１０にインストールして用いるプログラムは、第１の端末装置１０にインストールされて使用されることによりプログラムの有する複数の機能、及び手順実施することができる。また、第２の端末装置２０にインストールして用いられるプログラムは、第２の端末装置２０のコンピュータにインストールして用いられることによりプログラムの有する複数の機能、及び手順実施することができる。これらのプログラムは、これに限定されないが、例えば、ウインドウズ等の汎用ＯＳの下で起動される。さらに、サーバコンピュータ３０にインストールして用いられるプログラムは、サーバコンピュータ３０にインストールして用いられることによりプログラムの有する複数の機能、及び手順実施することができる。をこれらのサーバコンピュータ３０のプログラムは、これに限定されないが例えば、ウインドウズ等のサーバ対応の汎用ＯＳの下で起動される。
【００４９】
次に、図３は、第２の端末装置２０のハードウェアの接続ブロック図である。
さらに、第２の端末装置２０の物理的なハードウエア構成としては、周知のパーソナルコンピュータに対し、第２の音声入力手段２０m としてのマイク２０ｍ、第２の音声出力手段２０ｓとしてのスピーカ２０ｓ、インタネットを含むネットワークへの接続手段としての第２の接続手段２５０を構成するモデム、ターミナルアダプタ等の周辺機器を備えたコンピュータシステムにより具現されている。
【００５０】
第２の端末装置２０は、マイクロフォンおよび周辺機器からなる第２の音声入力手段２０m 、スピーカ及び周辺機器からなる第２の音声出力手段を備え、ハードディスク、ＭＯ、ＤＶＤ等の外部記憶装置及びその周辺機器からなる第２の記憶手段２４０と、ディスプレイ等のモニタ装置及びその周辺機器からなる第２の表示手段２１０と、データの受信に関わるファームウェア及び周辺機器からなる第２の受信手段２２０と、データ送信に関わるファームウェア及び周辺機器からな第２の送信手段２３０と、これらを制御し、第２の端末装置２０において必要とされる機能を実現するための処理プログラムを実行するＣＰＵを備えた制御装置２００により構成される。さらに、必要に応じて、キーボード、マウス等の入力装置、及び入力ボタン等も備えている。
【００５１】
次に、図４は、歯科診療支援センターのサーバコンピュータ３０のハードウェアの接続ブロック図である。さらに、サーバコンピュータ３０の物理的なハードウェア構成としては、周知のサーバ機能を有するコンピュータシステムに対し、複数の第１の端末装置１０接続するサーバ第１接続手段３５０、複数の第２の端末装置２０と接続するサーバ第２接続手段３５５を備えたコンピュータシステムにより具現されている。
【００５２】
上記、及び以後の説明では簡単のために、第１の端末装置１０、第２の端末装置２０、サーバコンピュータ３０、いずれも、代表的な例において、１台について説明するが、第１の端末装置１０、第２の端末装置２０、サーバコンピュータ３０いずれも複数台の接続設置が可能であり、一般的には複数台の接続設置がなされるものであるが、その動作は、共通であるので、説明を省略する。  
【００５３】
次に、上述したそれぞれの装置に付いて相互の動作を交えて、詳しく説明する。先ず、歯科診療支援システムにおいて、第１の端末装置１０は、一般の歯科医の診察室、手術室などに設置されており、対応するプログラムがインストールされている。さらに、電源が投入され、第１の端末装置１０の第１の表示手段１１０には、図１１に示す、初期画面４００が表示されている。
【００５４】
ここで、初期画面４００について説明する。表示されているボタンは、マウス等のポインティングデバイス（以下、マウスと記載）により選択クリック（以下、クリックと記載）されることにより、起動、実行される。メニューボタン４０１は、メニュー画面である初期画面４００を表示する。画像を送るボタン４０２は、ＣＣＤカメラ、レントゲン写真、ディジタルカメラ等により撮像し、メモリ、外部記憶装置等に記憶されている画像を第２の端末装置２０へ送信するための入力画面を表示させるボタンである。メールを送るボタン４０３は、指導医への連絡等の電子メールを送るための入力画面を表示させるボタンである。ヘルプボタン４０４は、ヘルプ画面６００を表示させるボタンである。１つ戻るボタン４０５は、操作をしていて、１つ手前の画面に戻りたい時クリックすることにより、１つ手前の画面に戻るボタンである。
【００５５】
サポートメニューの歯科診療支援依頼ボタン４１１は、一般の歯科医が、自己の診察室で、例えば、インプラント、成人歯列矯正などの高度な専門技術を要する治療を行う時、クリックすることにより、サーバコンピュータ３０へ接続の手続きを行い、歯科診療支援の依頼を行うと同時に、歯科診療支援画面５００を表示する。詳細は、あとで述べる。次に、医療機材購入支援ボタン４１２は、クリックすることにより高度な専門医療を行うために必要な機材、材料の購入を支援する画面を表示する。高度な専門医療を行うための機材、資材は専門的であるため一般には入手が難しい。そのため、本システムでは、医療機材、資材の購入支援を行う。
【００５６】
ムービーメニューの模範治療映像ボタン４２１は、クリックすることにより、第１の端末装置１０の歯科診療技術情報記憶部１４１に記憶された歯科診療技術情報の映像を歯科診療技術情報表示部１１６において見ることができる（歯科診療技術情報閲覧手段１０１）。最新模範治療映像ボタン４２２は、クリックすることにより、最新情報記憶手段３４２に記憶された最新の歯科診療技術情報を見ることができる。模範治療中継映像ボタン４２３は、クリックすることにより、指導医による模範治療の中継が有る時は、その映像を見ることができる。ビデオマニュアルボタン４２４は、クリックすることにより、本システムの使用法、利用法に付いてのビデオ映像を見ることができる。いずれの場合においても、対応するメニュー画面が表示され見たい映像を対応するメニューから選択することができる。又、最新の歯科診療技術情報に付いては、自己の第１の端末装置１０へダウンロードすることも可能である。さらに、中継映像においては、自己の第１の端末装置１０の第１の記憶手段１４０へ記憶させることも可能である。
【００５７】
マニュアル、文献メニューの、治療マニュアルボタン４３１は、クリックすることにより歯科診療技術情報記憶部１４１に記憶された治療マニュアルを閲覧することができる（歯科診療技術情報閲覧手段１０１）。最新治療マニュアルボタン４３２は、クリックすることにより最新情報記憶手段３４２に記憶された最新の歯科診療技術情報を閲覧することができる。技術文献ボタン４３３は、クリックすることにより歯科診療技術情報記憶部１４１に記憶された内外の専門誌、学術論文、技術文献等を見ることができる（歯科診療技術情報閲覧手段１０１）。最新技術文献ボタン４３４は、クリックすることにより最新情報記憶手段３４２に記憶された最新の内外の専門誌、学術論文、技術文献等を見ることができる。何れも、対応するメニューから希望の文献、専門誌、学術論文等を選択することができる。さらに、最新の歯科診療技術情報に付いては、歯科診療技術情報記憶部１４１に記憶させることも可能である。
【００５８】
財務マニュアルボタン４３５は、クリックすることにより歯科診療所における財務管理に付いてのマニュアルを読むことができる。経営マニュアルボタン４３６は、クリックすることにより歯科診療所における経営に付いてのマニュアルを読むことができる。電話応対マニュアルボタン４３７をクリックすることにより、歯科診療所における電話応対に付いてのマニュアルを見ることができる。さらに、接遇マニュアルボタンをクリックすることにより、歯科診療所におけるスタッフのための接遇方法に付いてのマニュアルを見ることができる。財務、経営、電話応対、接遇などのマニュアルは、実際の歯科診療技術の習得とは異なるものであるが、歯科医、診療所スタッフにとっては、歯科診療技術の次に大切な、知識である。現在においては、インフォームドコンセントが推奨され、医師と患者の間において、充分な説明と、納得が要求される。そのためには、医師、スタッフがどのような態度、話し方で、患者に対応するかはとても重要である。しかし、大学などにおいては、患者応対に付いての分野の学習機会は少ないにも拘らず要求は多い。従って、このようなマニュアル類を充実させることにより、歯科医、スタッフが安心して、歯科治療に専念できるようになる。
【００５９】
次に、歯科診療支援依頼ボタン４１１がクリックされ、図１２の画面５００が表示された状態から、第１の端末装置１０、第２の端末装置２０、サーバコンピュータ３０の相互の動作を交え、詳細に説明する。
第１の端末装置１０は、歯科診療支援依頼ボタン４１１がクリックされると、画面５００を表示する。画像音声指導ボタン５０１をクリックすることにより、画像と、音声による歯科診療支援を受けることができるようになる。先ず、記憶しているサーバコンピュータ３０のアドレスへ、接続を行う。サーバコンピュータ３０は、予め登録されている第２の端末装置２０へ接続手続きを取り、第１の端末装置１０のユーザ情報、アドレス情報などを送信する。これにより、サーバコンピュータ３０により、第１の端末装置１０は、第２の端末装置２０と情報を相互に交信可能の状態である。
次に、撮像手段１０ｃにより撮像した画像を第１の表示手段１１０の撮像画像表示部１１２により表示領域５１１に表示する。同時に、第１の画像送信部１３１において、第１の画像送信手順により第１の接続手段１５０、インタネット網７を介して送信する。
【００６０】
従って、撮像手段１０ｃにより撮像された画像は、サーバコンピュータ３０へ送信され、サーバコンピュータ３０のサーバ第１接続手段３５０を介し、サーバ第１受信手段３２０により受信され、サーバ第２送信手段３３５によりサーバ第２接続手段３５５を介して、第２の端末装置２０へ中継画像として送信される。第２の端末装置２０では、第２の接続手段２５０と、第２の受信手段２２０の第２の画像受信部２２２を介して受信され、第２の画像表示部２１１により表示される。同時に、音声についても、第１の音声入力手段１０ｍから入力された音声は、第１の送信手段１３０の第１の音声送信部１３２により、デジタル信号に変換され、送信される。画像情報と同様に第２の端末装置２０へ送信され、第２の受信手段２２０の第２の音声受信部２２１により受信され、第２の音声出力手段２０ｓのスピーカを通して、出力される。同様に、指導医の第２の端末装置２０からの音声も、第２の音声入力手段２０ｍにより入力され、第２の送信手段２３０の第２の音声送信部２３２により、第２の接続手段２５０を介して、サーバコンピュータ３０へ送信される。これにより、音声において、相互に交信可能となる。
【００６１】
第１の端末装置１０における医師は、自己の第１の端末装置１０の第１の表示手段１１０の表示エリア５１１（撮像画像表示部１１２）により表示された撮像画像について、自分が指導を受けたいちょうど良いタイミングの画像になったとき、停止状態の静止画像に動画/ 一旦停止ボタン５２１（第１の切り替え手段１０３）により、切り替える。この動画/ 一旦停止ボタン５２１は、例えば、表示領域５１１（撮像画像表示部１１２）に表示されている画像が動画の場合、静止画像切り替えボタンを表示し、指でタッチ、マウス等によりクリックすることで、静止画像状態に切り替える。また、静止画像の場合は、動画切り替えボタンを表示し、画面を指でタッチ、マウス等によりクリックすることで、動画状態に切り替える。同様に、第２の端末装置２０における指導医は、自己の第２の端末装置２０の第２の表示手段２１０の第２の画像表示部２１１により表示された撮像画像について、指導を与える必要のある画像になったとき、第２の切り替え手段２０５により動画から静止画像に切り替える。この第２の切り替え手段２０５は、第１の端末装置１０の第１の切り替え手段１０３と同様に、表示されている画像が、動画の場合、静止画像切り替えボタンを表示し、画面を指でタッチ、マウス等によりクリックすることで、静止画像状態に切り替える。また、静止画像の場合は、動画切り替えボタンを表示し、指でタッチ、マウス等によりクリックすることで、動画状態に切り替える。
【００６２】
又、表示領域５１２をさらに設けることにより、初期状態では、表示領域５１１と、表示領域５１２には、撮像手段１０ｃにより撮像されている画像を常に表示し、動画/ 一旦停止ボタン５２１をクリックした時には、表示領域５１１の領域には、クリッした時点の画像を表示し、動画/ 一旦停止ボタン５２１を動画切り替えボタンを表示する。表示領域５１１に表示された画像に付いては、早送りボタン５２２、巻き戻しボタン５２０による、撮像画像の希望の時点の画像を表示させるようにしても良い。この場合、撮像画像は、第１の記憶手段１４０、サーバ記憶手段３４０などの記憶手段に記憶させればよい。
【００６３】
以下、第１の端末装置１０の表示画像に対しても、第２の端末装置２０の表示画像に対してもその動作は同様であるので、重複した説明を避けるために、第１の端末装置１０に対しての説明を行う。
【００６４】
また、表示画像に対して、上、下、左、右に、移動したい場合は、第１の音声出力手段１０ｓに対して、「上」、「下」、「右」「左」等の移動の指示語を発話する。第１の画像移動手段１０４において、指示語の内容を解析し、画像の視点ポイントを移動させ、再表示することで、画像を移動させる。また、表示画像に対して、拡大、縮小したい場合は、「拡大」、「大きく」、「縮小」、「小さく」等の大きさに関する指示語を発話する。第１の表示画像拡大縮小手段１０５において、指示語の内容を解析し、視点ポイントを中心に所定の倍率に拡大、縮小し、再表示する。また、移動、拡大、縮小の指示は、音声のみだけでなく、マウス等により、移動させても良く、画面に、移動ボタン５２８、拡大縮小ボタン（５２６、５２７）を配置し、ボタンを、指、タッチペン、マウス等により操作することで、実行しても良い。第２の端末装置２０の、第２の画像移動手段２０６、第２の表示画像拡大縮小手段２０７についても同様である。第１の画像移動手段１０４、第１の表示画像拡大縮小手段１０５、第２の画像移動手段２０６、第２の表示画像拡大縮小手段２０７は、既知の音声認識手段を備え、必要に応じて、第１の記憶手段１４０、第２の記憶手段２４０に言語辞書等のデータベースを備え、言語での入力に対応している。
【００６５】
次に、指導医が、表示された撮像画像を介して、指示を与える際の第１の端末装置１０、第２の端末装置２０の動作に付いて説明する。
【００６６】
一般的には、第２の端末装置２０において、複数の第１の端末装置１０からの撮像画像が、複数表示されている。第２の端末装置２０の指導医は、表示されている画像の中から、指導を行い、音声、画像の交信を相互に行う第１の端末装置１０の画像を画像選択手段２０１によりマウスで、画面をクリックするなどして、画像を選択する。以後、選択した画像に対して音声が入力され、指導を与える際の画像に対する、指示情報入力手段２０２による入力が可能となる。指示情報入力手段２０２においては、タッチペン、マウスなどによるポインティングデバイスによる入力、指による画面に対して直接触れることによる、線などの入力、取り消し、キーボードを介しての文字の入力により、指示位置を指し示したり、指示内容を入力する。入力された指示情報は、第２の画像送信部２３１により、第１の端末装置１０へ送信される。第１の端末装置１０においては、画面５００における表示領域５１０にその指示情報が表示される。又、キーボードを介しての文字の入力は、表示領域５３０に表示され、第１の端末装置１０、第２の端末装置２０双方から入力された文字情報が、双方の端末装置のそれぞれの表示領域に同時に、表示される。この時、指導医の音声も同時に、第２の音声送信部２３２により送信され、選択された画像の第１の端末装置１０への入力として送信される。この時サーバコンピュータ３０は、第２の端末装置２０からの音声をの画像選択手段２０１により選択された第１の端末装置１０に対しての、音声としてサーバ第１送信手段３３０により、選択された第１の端末装置１０に対して音声を送信する。また、受信した複数の第１の端末装置１０からの音声も、選択された第１の端末装置１０からの音声のみを選択し、サーバ第２送信手段３３５により、第２の端末装置２０へ送信する。これにより、第２の端末装置２０においては、選択された画像についての音声の送受信が可能となる。
【００６７】
表示領域５１０、５１１、５１２は、必要に応じて、表示内容を相互に切り替えることが可能である。自己の撮像状態をより大きな画像で確認したい時は、表示領域５１２において表示していた撮像画像を表示領域５１０において表示する。さらに、表示領域５１１、５１２においては、表示領域５１０において表示領域を大きく確保したい時は、表示領域５１０の背後に置くこともできる。さらに、指導医による指導は、通常は、指導医からの選択により行われるが、緊急に指導を受けたい場合は、指導希望ボタン５２５をクリックすることにより、指導を希望をリクエストを送信するようにし、第２の端末装置２０においては、リクエストの信号を受信すると、該当する歯科医の画面のフレームを明滅させるなどの合図を表示ようにしてもよい。
【００６８】
上述した指導医による指導は、現在撮像されている画像に対して指導を入力したが、撮像画像を逐次サーバコンピュータ３０のサーバ記憶手段３４０に記憶させ、巻き戻しボタンを画像上に表示させ、巻き戻しボタンをクリックすることで、撮像を開始してからの希望の時点に、表示画像を戻す様にしてもよい。このようにすることにより、より指導の容易な状態の画像を選択することが可能となる。又、撮像手段１０ｃにより撮像された治療状況を録画したい場合は、録画ボタン５２４をクリックすることにより、任意の時点で、録画の開始、停止を行うことができるようになる。
【００６９】
さらに、音声通話ボタン５０２をクリックすることにより、画像を伴わない、音声のみによる指導を受けることも可能である。
【００７０】
さらに、表示領域５１１に表示する映像を撮像映像ボタン５０３により、撮像画像を表示するようにすることができる。このボタンは、例えば、ファイル操作ボタン５０４において、歯科診療技術情報の映像を表示させて指導を受けている時、撮像手段１０ｃによる画像に切り替えたい時に使用するものである。
【００７１】
さらに、表示領域５０５には、現在表示されている画像のファイル名、表示時間、音量等の現在の状態を表す情報を表示する。
【００７２】
また、サーバコンピュータ３０は、サーバ記憶手段３４０の歯科診療技術情報記憶手段３４１に、専門の指導医による複数の模範治療映像、複数の技術文献、複数の治療マニュアルからなる歯科診療技術情報を、最新情報記憶手段３４２に専門の指導医による最新の複数の模範治療映像、最新の複数の技術文献、最新の複数の治療マニュアルを記憶し蓄積している。これらの情報は、サーバコンピュータ３０に接続された管理端末９から随時更新される。最新情報記憶手段３４２の歯科診療技術情の更新に伴い、更新蓄積手段３０１は、最新情報記憶手段３４２に同種の情報があれば、自動的に更新前の歯科診療技術情報を歯科診療技術情報記憶手段３４１に移動蓄積し、登録情報を更新する。
【００７３】
さらに、端末装置更新手段３０２は、第１の端末装置１０に対して、所定の期間毎、又は歯科診療技術情報記憶手段３４１が更新された時に、歯科診療技術情報記憶部１４１を更新された歯科診療技術情報で更新するように更新情報を作成し、第１の端末装置１０へ送信する。この時第１の端末装置１０に関するアドレス等の情報は、予めサーバ記憶手段３４０に記憶登録されている。第１の端末装置１０は、更新情報を更新情報受信部１２４により受信し、第１の端末装置更新手段１０２により、歯科診療技術情報記憶部１４１を更新する。この時、サーバコンピュータ３０から送信される更新情報は、例えば、更新されたことを連絡する情報であり、この更新情報により、第１の端末装置１０は、サーバコンピュータ３０へ接続すると端末装置更新手段３０２に必要な更新された歯科診療技術情報が送信され、歯科診療技術情報記憶部１４１を更新することができる。更新情報の構成、更新の方法は、多種知られているので、どの方法によってでも、結果的に、歯科診療技術情報記憶手段３４１に記憶されている歯科診療技術情報と、歯科診療技術情報記憶部１４１に記憶されている情報が、歯科診療技術情報記憶手段３４１が更新されると同時に、又は、ある一定の期間毎に同一の情報と成るように更新されれば良い。又、第１の端末装置１０は、更新情報を受信しなくても、自身からサーバコンピュータ３０へ接続し、歯科診療技術情報記憶手段３４１の歯科診療技術情報が更新されていないか確認することを可能にしてもよい。このように、第１の端末装置１０から問い合わせる事を可能にする事により、歯科診療技術情報記憶手段３４１の更新頻度が高い場合、更新する毎に更新情報を作成して第１の端末装置１０へ送信することは、サーバコンピュータ３０にとっても、第１の端末装置１０にとっても、煩雑で負担である。そのため、所定の期間毎にサーバコンピュータ３０から、更新情報を送信することとすると、第１の端末装置１０としては、常に最新の情報を取得することができなくなる。しかし、第１の端末装置１０から、更新情報の問い合わせを行うことにより、第１の端末装置１０において、最新情報が必要となった時に問い合わせることにより、常に最新の情報を得ることができるようになる。さらに、第１の端末装置１０に電源が投入された時に、自動的に最新情報を問い合わせ、最新の情報を取得するように本システムのプログラムのより制御してもよい。このようにすることにより、歯科医が意識しなくても、自動的に第１の端末装置１０の歯科診療技術情報が最新のものに更新されるようになる。
【００７４】
一般の歯科医は、第１の端末装置１０において、上述した歯科診療技術情報記憶部１４１に記憶された歯科診療技術情報を、歯科診療技術情報閲覧手段１０１（ヘルプボタン４０４、ビデオマニュアルボタン６０４、マニュアルボタン６０５）により、歯科診療技術情報表示部１１６（表示領域６２０）に表示させ、治療行為を行う前に、必要な歯科診療技術情報を閲覧する。例えば、自己が、これから行う予定の治療に付いての専門の指導医による模範治療映像を視聴する、技術文献を読む、治療マニュアルを確認することにより、治療にあたっての手順、注意点等を学習、確認する。必要であれば、繰り返し、視聴し、学習、確認する。又、サーバコンピュータ３０に接続し、最新情報記憶手段３４２の中から、自己が必要とする情報があればそれを閲覧し、最新の技術情報を取得する。同時に、自己の第１の端末装置１０の歯科診療技術情報記憶部１４１へダウンロードするようにしてもよい。さらに、随時、最新情報記憶手段３４２を閲覧することにより様々な最新の技術情報を取得することが可能となる。このようにすることにより、一般の歯科医であっても、自身の診療所に居ながらにして、最新の歯科診療技術情報を取得することができるようになる。又、歯科診療技術情報閲覧手段１０１は、歯科診療技術情報記憶部１４１、最新情報記憶手段３４２に記憶されている歯科診療技術情報の一覧を歯科診療技術情報表示部１１６に表示させ、その内容を閲覧させる。又、キーボードからの文字の入力によりキーワードを設定することにより、歯科診療技術情報の中から該当する情報を検索し表示することもできる。
【００７５】
指導医は、第２の端末装置２０において、指導情報選択設定手段２０４により、歯科診療技術情報記憶手段３４１、最新情報記憶手段３４２に記憶された情報の中から、第１の端末装置１０の医師が必要としている情報を選択し、指導情報表示部２１５により表示させる。次に、指導情報表示部２１５に表示させた情報に対して、必要な指導情報を指導情報入力手段２０３により入力する。ここで、指導情報選択設定手段２０４は、歯科診療技術情報記憶手段３４１、最新情報記憶手段３４２に記憶された情報の一覧を指導情報表示部２１５に表示する。指導情報表示部２１５に表示した内容を閲覧するためのコントロールをする。さらに、キーボードからの文字入力によるキーワードを用いて、記憶された内容の検索を行い、一致した情報の一覧を表示し、さらに、その内容の表示をコントロールするものである。一方、指導情報入力手段２０３は、指示情報入力手段２０２と同様に、表示された内容に対して、マウス、タッチペン、キーボード、指等により、入力を可能にする。従って、指導医は、例えば、表示された内容に対して、マウス、タッチペン、キーボード、指等により、注目する部分に目印を付ける、注意する内容を書き込むなどを行う。
【００７６】
次に、図１３のヘルプ画面６００に付いて説明する。本画面においては、マニュアル類の表示を行うと共に、本システムを使用する際に、様々な操作サポートを簡単に受けることができるようにした画面である。
【００７７】
基本操作ボタン６０２により、基本的な操作に付いての説明のメニューが表示される。良くある質問と答えボタン６０３をクリックすることで、操作、したいこと別に、簡単な質問に答えることで、よく質問される内容が表示され、それを選択することで、自己解決が可能な回答を用意している。システムに不慣れなユーザであっても、簡単に使う事ができる。さらに、ビデオマニュアルボタン６０４をクリックすることで、本システムの使い方のビデオマニュアル、及び治療方法のビデオを見ることができる。マニュアルを見るボタンをクリックすることで、システムに用意されたマニュアル類を見ることができる。さらに、遠隔サポート依頼ボタン６１０をクリックすることで、自己のＩＰアドレスを検知し、ＩＰアドレス表示領域６１１に表示する。依頼するボタン６１２をクリックすることにより、予め記憶されているサポートセンターのオペレータのコンピュータに接続し、自己のＩＰアドレスを送信する。サポートセンターのオペレータのコンピュータは、送信されたＩＰアドレスを用いて、第１の端末装置１０へ遠隔操作を行い、第１の端末装置１０が必要としている、設定、ファイルのダウンロードなどを行う。オペレータによる遠隔サポートにより、コンピュータシステムに詳しくない歯科医であっても、複雑な設定は、オペレータにより行われるため、より使い易くなる。オペレータのコンピュータは、管理端末９であっても良いし、歯科診療支援センターに設置された別のコンピュータであっても、歯科診療支援センターとは別の場所に設置され、インタネットにより接続されたコンピュータであっても良い。  
【００７８】
次に、各装置の処理手順に付いて図５、図６、図７、図８、図９、図１０のフローチャートに従い説明する。
【００７９】
先ず、第１の端末装置１０と、第２の端末装置２０は、上述したとおり、サーバコンピュータ３０とインタネットを含むネットワークと接続されており、その手順は良く知られているので、ここでは詳述しない。ネットワークとの接続は、例えば、公衆電話回線を介するもの、ケーブルテレビのケーブルを介するもの、光ファイバーケーブルを介するものなど、様々な方法、手順が知られているが何れであっても構わない。
【００８０】
図５に示すように、第１の端末装置１０は、撮像手段１０c により治療映像を撮像する。第１の音声入力手段１０m により、歯科医の音声、治療室の音声を入力する（Ｓ４００）。撮像された画像は、撮像画像表示手順により表示領域５１１（撮像画像表示部１１２）に表示される（Ｓ４０２）。必要に応じて撮像画像の一旦停止、動画状態への切り替えを行い、表示部分の移動、拡大、縮小を行う（Ｓ４０４）。この部分に付いては、図８のフローチャートに従い後で詳述する。第２の端末装置２０から送信された、指導情報が入力された画像を表示領域５１０に表示する（Ｓ４０６）。第２の端末装置２０から送信された指導医の音声を第１の音声出力手段により出力する（Ｓ４０８）。第１の端末装置１０は、Ｓ４００からＳ４０８を繰り返すと同時に、画像の送信処理（Ｓ４１０）、音声の送信処理（Ｓ４１２）、及び、画像の受信処理（Ｓ４２０）、音声の受信処理（Ｓ４２２）を並行して実行する。これにより、第１の端末装置１０において、画像の撮像処理、音声処理、表示処理を行いながら、第２の端末装置２０との情報の送受信を行うことが可能となる。
【００８１】
次に、図６に示すように、第２の端末装置２０は、接続している複数の第１の端末装置１０から送信される複数の撮像画像を第２の画像表示部２１１に第２の画像表示手順により表示する（Ｓ５００）。画像選択手順により撮像画像の中から、指導を行う画像を選択し、クリックする（Ｓ５０２）。選択画像の一旦停止、移動、拡大、縮小を行う（Ｓ５０４）。選択している画像の第１の端末装置１０からの音声を出力する（Ｓ５０６）。選択画像への指導情報の入力、音声での指導を行うを行う（Ｓ５０８）。指導情報選択設定手順により歯科診療技術情報から、必要な情報を選択設定し、指導情報入力手順により指導情報を入力する（Ｓ５１０）。第２の端末装置２０は、Ｓ５００からＳ５１０を繰り返すと同時に、画像の受信処理（Ｓ５２０）、音声の受信処理（Ｓ５２２）及び、画像の送信処理（Ｓ５３０）、音声の送信処理（Ｓ５３２）、を並行して実行する。これにより、第２の端末装置２０において、複数の第１の端末装置１０からの撮像画像の表示、音声処理、複数の第１の端末装置１０から指導する第１の端末装置１０の選択、指導情報の入力を行いながら、第１の端末装置１０との情報の送受信を行うことが可能となる。
【００８２】
次に、図７に示すように、サーバコンピュータ３０は、主に、第１の端末装置１０からの画像、音声の受信（Ｓ６００）、第２の端末装置２０への画像、音声の送信（Ｓ６０２）、第２の端末装置２０からの画像、音声の受信（Ｓ６０４）、第２の端末装置２０により選択されている第１の端末装置１０へ画像、音声の送信（６０６）を行う。Ｓ６００Ｓ６０６を常に繰り返すことにより、第１の端末装置１０から、第２の端末装置２０へ、第２の端末装置２０から、第１の端末装置１０へ情報の交信を行う。さらに、図９に示すように、必要に応じて、歯科診療技術情報の更新処理を行う。例えば、サーバコンピュータ３０に接続された管理端末９から歯科診療技術情報記憶手段３４１への歯科診療技術情報の登録入力を歯科診療技術情報記憶手順により行う（Ｓ８００）。次に、最新情報記憶手段３４２への最新の歯科診療技術情報の登録を行い、更新蓄積手順により歯科診療技術情報記憶手段３４１を更新する。Ｓ８０４において、歯科診療技術情報記憶手段３４１を更新してから所定の期間が経過したか、歯科診療技術情報記憶手段３４１が更新されたと判断された場合、端末装置更新手段３０２において、端末装置更新手順に従い、更新情報を作成する。作成した更新情報をサーバ記憶手段３４０に登録されている第１の端末装置１０の登録情報に従い第１の端末装置１０へ送信する。ここで、Ｓ８０４における判断条件は、歯科診療技術情報記憶手段３４１の更新が頻回である場合は、所定の期間毎に、更新情報を作成するようにし、更新が、頻回でない場合は、歯科診療技術情報記憶手段３４１が更新される毎に更新情報を作成する。ここで、頻回とは、更新情報を作成して、第１の端末装置１０への送信が、サーバコンピュータ３０にとって負担である場合である。サーバコンピュータ３０に十分能力があり、通常業務に支障を来たさなければ、歯科診療技術情報記憶手段３４１が更新される毎に、更新情報を作成して送信することが望ましい。又、歯科診療技術情報記憶手段３４１が更新される毎に更新情報は、作成するが、第１の端末装置１０への送信は、所定の期間毎としても良い。
【００８３】
一方、第１の端末装置１０における歯科診療技術情報記憶部１４１に記憶された歯科診療技術情報の更新処理手順に付いて図１０のフローチャートに従い説明する。
【００８４】
先ず、歯科診療技術情報の初期登録を行う（Ｓ９００）。これは、ネットワークを介して、サーバコンピュータ３０から受信しても良く、歯科診療支援システムのシステム導入時に、CD-ROM、DVD 等により、登録しても良い。ネットワークに接続し、システム起動後は、サーバコンピュータ３０からの更新情報を受信した場合、自動的に、更新情報の受信を判断する（Ｓ９０２）。更新情報の受信をした場合は、受信した更新情報に従い歯科診療技術情報記憶部１４１に記憶された歯科診療技術情報を第１の端末装置更新手順により更新する（Ｓ９０４）。さらに、サーバコンピュータ３０からの更新情報の送信が、所定の期間毎の場合、最新の歯科診療技術情報が得られたない場合がある。その場合は、最新情報を第１の端末装置１０から、サーバコンピュータ３０へリクエストし、歯科診療技術情報記憶部１４１の更新を行う（Ｓ９０８）。
【００８５】
次に、第１の端末装置１０、第２の端末装置２０における表示画像の制御に付いて図８のフローチャートに従い説明する。
【００８６】
表示画像上に表示された一旦停止ボタンがクリック又は指などによるタッチ入力があったかチェックする（Ｓ７００）。動画/ 一旦停止ボタン５２１の入力があった場合は、Ｓ７０２により撮像画像の動画表示は、一旦停止する。Ｓ７０４において、表示画像上に表示された動画/ 一旦停止ボタン５２１がクリック又は指などによるタッチ入力があったかチェックする（Ｓ７０４）。入力があった場合は、受信した画像をそのまま表示するようにすることにより動画状態へ切り替える（Ｓ７０６）。Ｓ７０８により、画像の表示位置の移動の指令（上下左右移動ボタン５２８の入力、音声による指示）があったか判断する。移動指令があったと判断されると、Ｓ７１０において、指令の方向に画像の表示位置を移動する為、視点ポイントを移動する。Ｓ７１２において、移動した視点ポイントを中心に画像の再表示を行い画像の異動を完了する。Ｓ７１４において、画像の拡大表示の指令（拡大ボタン５２６又は音声による指示）があったか判断する。画像の拡大表示の指令があったと判断されると、指令に従い、視点ポイントを中心に、所定の倍率拡大する（Ｓ７１６）。ここで、所定の倍率は例えば、１．２倍である。さらに拡大表示が必要な時は繰り返し、拡大の指令を行うことより、希望の倍率の拡大表示を得ることができる。ここでは１．２倍としたが、それ以外でも良い。Ｓ７１８において、再表示を行い、拡大表示を完了する。Ｓ７２０において、画像の縮小表示の指令（縮小ボタン５２７又は音声による指示）があったか判断する。画像の縮小表示の指令があったと判断されると、指令に従い、視点ポイントを中心に、所定の倍率縮小する（Ｓ７２２）。ここで、所定の倍率は例えば、０．８倍である。さらに縮小表示が必要な時は繰り返し、縮小の指令を行うことより、希望の倍率の縮小表示を得ることができる。ここでは０．８倍としたが、それ以外でも良い。Ｓ７２４において、再表示を行い、拡大表示を完了する。
【００８７】
又、初期倍率に戻すボタンを設け、そのボタン入力がされたときは、上記の拡大縮小に関わらず、初期倍率に戻すようにしてもよい。
【００８８】
尚、上述した実施例では、第１の端末装置１０からのみ撮像画像を第２の端末装置２０へ送信したが、第２の端末装置２０において、撮像装置、撮像手順及び、送信手段、送信手順を備えることにより、第２の端末装置２０において行われる治療を第１の端末装置１０へ送信することも可能である。この様にすることにより、第２の端末装置２０において行われる指導医の模範治療を中継で、第１の端末装置１０において視聴することが可能となる。このような、指導医による治療行為の中継は、予め、第１の端末装置１０の医師にその予定を伝えることにより、一般医の視聴率も高まり、指導医が治療行為を行う病院へ赴かなくても、その治療行為を自己の診察室に居ながら見学することが可能となる。
【００８９】
上述した、模範治療の予定は、例えば、画面４００にお知らせ表示領域４４０を設け、第１の端末装置１０の電源投入時に、サーバコンピュータ３０へ接続し、お知らせが有ればそれを受信し、表示するようにすると、歯科医が意識しなくても、最新の模範治療中継情報を得ることが可能となる。お知らせは、中継情報だけでなく、指導医が指導を行えない時間の予定を知らせるようにしてもよい。
【００９０】
さらに、上記実施例では、第２の端末装置２０は、携帯可能なコンピュータ装置を例にして説明したが、映像を確認し、歯科医に対して、音声にて助言指導を行うことに限定すれば、携帯可能な端末装置は、映像の確認できる携帯電話であっても良い音声のみの指導であれば、映像の確認できない携帯電話であっても良い。
【００９１】
さらに、上記実施例では、第１の端末装置１０と第２の端末装置２０の間における情報の送受信は、サーバコンピュータ３０を介して行ったが、図１４の接続関係の説明図によるように、第１の端末装置１０と第２の端末装置２０は、インタネッ網により、接続が可能である。従って、サーバコンピュータ３０により、相互に相手方のアドレスを知ることにより、直接情報の送受信を行っても良い。
【００９２】
尚、上述した実施形態は、本発明の一例であって、これに限定されるものではなく、発明の本質に照らして、様々な変形例が考えられる。
【産業上の利用可能性】
【００９３】
本発明は、高度な医療技術を要する歯科診療を支援するシステムを提供するものである。
【図面の簡単な説明】
【００９４】
【図１】歯科診療支援システムのネットワークを介した接続関係の説明図。
【図２】第１の端末装置のハードウェアの接続ブロック図。
【図３】第２の端末装置のハードウェアの接続ブロック図。
【図４】歯科診療支援センターのサーバコンピュータのハードウェアの接続ブロック図。
【図５】第１の端末装置の処理手順を示したフローチャート。
【図６】第２の端末装置の処理手順を示したフローチャート。
【図７】歯科診療支援センターのサーバコンピュータの処理手順を示したフローチャート。
【図８】第１の端末装置、第２の端末装置における表示画像の制御の処理手順を示したフローチャート。
【図９】歯科診療支援センターのサーバコンピュータの歯科診療技術情報の更新の処理手順を示したフローチャート。
【図１０】第１の端末装置の歯科診療技術情報の更新の処理手順を示したフローチャート。
【図１１】本システム起動時の第１の端末装置における初期画面の説明図。
【図１２】本システムの第１の端末装置における歯科診療支援を受ける画面の説明図。
【図１３】本システムの第１の端末装置におけるヘルプ画面の説明図。
【図１４】本システムの他の実施例の歯科診療支援システムのネットワークを介した接続関係の説明図。
【符号の説明】
【００９５】
５…ローカルエリアネットワーク
７ａ、７ｂ、７ｃ…インタネット網
８…公衆回線
９…管理端末
１０Ａ、１０B 、１０C …第１の端末装置
１０Am、１０Bm、１０Cm、２０Bm…マイク（音声入力手段）
１０As、１０Bs、１０Cs、２０As…スピーカ（音声出力手段）  
１０Ac、１０Bc、１０Cc…カメラ（撮像手段）
２０A …第２の端末装置
３０…歯科診療支援センターのサーバコンピュータ
１００、２００、３００…制御装置
１０１…歯科診療技術情報閲覧手段
１０２…第１の端末装置更新手段
１０３…第１の切り替え手段
１０４…第１の画像移動手段
１０５…第１の表示画像拡大縮小手段
１１０…第１の表示手段
１１１…第１の画像表示部
１１２…撮像画像表示部
１１６…歯科診療技術情報表示部
１１７…指導情報表示部
１２０…第１の受信手段
１２１…第１の音声受信部
１２２…第１の画像受信部
１２３…技術情報受信部
１２４…更新情報受信部
１３０…第１の送信手段
１３１…第１の画像送信部
１３２…第１の音声送信部
１４０…第１の記憶手段
１４１…歯科診療技術情報記憶部
１５０…第１の接続手段
２００…制御装置
２０１…画像選択手段
２０２…指示情報入力手段
２０３…指導情報入力手段
２０４…指導情報選択設定手段
２０５…第２の切り替え手段
２０６…第２の画像移動手段
２０７…第２の表示画像拡大縮小手段
２１０…第２の表示手段
２１１…第２の画像表示部
２１５…指導情報表示部
２２０…第２の受信手段
２２１…第２の音声受信部
２２２…第２の画像受信部
２３０…第２の送信手段
２３１…第２の画像送信部
２３２…第２の音声送信部
２３３…技術情報送信部
２４０…第２の記憶手段
２５０…第２の接続手段
３００…制御装置
３０１…更新蓄積手段
３０２…端末装置更新手段
３１０…サーバ表示手段
３２０…サーバ第１受信手段
３２１…第１技術情報受信部
３２５…サーバ第２受信手段
３２６…第２技術情報受信部
３３０…サーバ第１送信手段
３３１…第１技術情報送信部
３３５…サーバ第２送信手段
３３６…第２技術情報送信部
３４０…サーバ記憶手段
３４１…歯科診療技術情報記憶手段
３４２…最新情報記憶手段
３５０…サーバ第１接続手段
３５５…サーバ第２接続手段
４００…歯科診療支援システムの第１の端末装置における初期画面
５００…第１の端末装置における歯科診療支援を受ける画面
６００…第１の端末装置における歯科診療支援システムのヘルプ画面
【手続補正３】
【補正対象書類名】図面
【補正対象項目名】図３
【補正方法】変更
【補正の内容】
【図３】
2005267115.tif 000017
【手続補正４】
【補正対象書類名】図面
【補正対象項目名】図４
【補正方法】変更
【補正の内容】
【図４】
2005267115.tif 000018